(57)【要約】  本出願の実施形態は、端末装置の状態を確定するための方法、端末装置及びアクセスネットワーク装置に関する。該方法は、端末装置がアクセスネットワーク装置から送信された構成情報を受信することであって、前記構成情報が、端末装置が非アクティブ状態に入ることを示すことに用いられることと、前記端末装置が前記非アクティブ状態の下で省電力モードに入るか否かを確定することであって、前記省電力モードにある前記端末装置の無線周波数モジュールがオフになることと、を含む。本出願の実施形態に係る端末装置の状態を確定するための方法、端末装置及びアクセスネットワーク装置により、非アクティブ状態にある端末装置が省電力モードに入ることができ、さらに端末装置の消費電力が低減される。
2021510268.tif 000002
【特許請求の範囲】
【請求項１】
端末装置の状態を確定するための方法であって、
端末装置がアクセスネットワーク装置から送信された構成情報を受信することであって、前記構成情報が、端末装置が非アクティブ状態に入ることを示すことに用いられることと、
前記端末装置が前記非アクティブ状態の下で省電力モードに入るか否かを確定することであって、前記省電力モードにある前記端末装置の無線周波数モジュールがオフになることと、を含む、前記方法。
【請求項２】
前記構成情報はさらに前記端末装置が前記省電力モードに入ることを示すことに用いられ、
前記端末装置が前記非アクティブ状態の下で省電力モードに入るか否かを確定することは、
前記端末装置が前記構成情報に基づき、前記非アクティブ状態に入るとともに、前記省電力モードに入ることを含むことを特徴とする
請求項１に記載の方法。
【請求項３】
前記方法はさらに、
前記端末装置が前記アクセスネットワーク装置へ能力情報を送信することであって、前記能力情報が、前記端末装置が前記省電力モードをサポートするか否かを示すことに用いられ、前記構成情報が前記アクセスネットワーク装置によって前記能力情報に基づいて確定されることを含むことを特徴とする
請求項２に記載の方法。
【請求項４】
前記端末装置が前記非アクティブ状態の下で省電力モードに入るか否かを確定することは、
前記端末装置が前記非アクティブ状態に入る時に、第一のタイマーをオンにすることと、
前記第一のタイマーがタイムアウトした場合、前記端末装置が前記省電力モードに入ることと、を含むことを特徴とする
請求項１に記載の方法。
【請求項５】
前記構成情報はさらに前記第一のタイマーの時間長を示すことに用いられることを特徴とする
請求項１に記載の方法。
【請求項６】
前記端末装置が前記非アクティブ状態の下で省電力モードに入るか否かを確定することは、
前記端末装置が前記アクセスネットワーク装置から送信された前記構成情報を受信した後、前記端末装置が予め設定された条件に応じて、省電力モードに入ることを確定することと、
前記端末装置が前記非アクティブ状態に入りながら前記省電力モードに入ることと、
前記端末装置が前記アクセスネットワーク装置へ確認情報を送信することであって、前記確認情報は、前記アクセスネットワーク装置が、前記端末装置が前記非アクティブ状態及び前記省電力モードに入ることを確定するために用いられることと、を含むことを特徴とする
請求項１に記載の方法。
【請求項７】
前記端末装置が前記非アクティブ状態の下で省電力モードに入るか否かを確定することは、
前記端末装置が前記アクセスネットワーク装置から送信された前記構成情報を受信した後、前記端末装置が非アクティブ状態に入り、予め設定された条件に応じて、前記非アクティブ状態の下で省電力モードに入ることができることを確定することと、
前記端末装置が前記アクセスネットワーク装置へ要求情報を送信することであって、前記要求情報が、前記端末装置が前記非アクティブ状態の下で前記省電力モードに入ることを前記アクセスネットワーク装置に要求するために用いられることと、
前記端末装置が、前記アクセスネットワーク装置が前記要求情報に基づいて送信した応答情報を受信することであって、前記応答情報が、前記端末装置が前記省電力モードに入るか否かを示すことに用いられることと、
前記端末装置が前記応答情報に基づき、前記省電力モードに入るか否かを確定することと、を含むことを特徴とする
請求項１に記載の方法。
【請求項８】
前記応答情報は、前記端末装置が前記省電力モードに入らないことを示すことに用いられ、前記応答情報は、前記アクセスネットワーク装置の拒絶理由を含むことを特徴とする
請求項７に記載の方法。
【請求項９】
前記応答情報は、前記端末装置が第二のタイマーに従って前記省電力モードに入ることを示すことに用いられ、
前記端末装置が前記応答情報に基づき、前記省電力モードに入るか否かを確定することは、
前記端末装置が前記応答情報を受信する時に、前記第二のタイマーをオンにすることと、
前記第二のタイマーがタイムアウトした場合、前記端末装置が前記省電力モードに入ることと、を含むことを特徴とする
請求項７に記載の方法。
【請求項１０】
前記応答情報は前記第二のタイマーの時間長を含むことを特徴とする
請求項９に記載の方法。
【請求項１１】
前記予め設定された条件は、
前記端末装置が前記省電力モードをサポートすることを確定すること、
前記端末装置が省電力を目的とする端末装置であること、
前記端末装置におけるサービスが、前記端末装置が前記省電力モードに入ることを許可すること、
前記端末装置のサービスモードであって、前記端末装置のサービスモードは、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含むこと、及び
前記端末装置の動き情報であって、前記端末装置の動き情報は、前記端末装置の動き状態及び／又は移動レートを示すことに用いられること、
のうちの少なくとも１つを含むことを特徴とする
請求項６〜１０のいずれか一項に記載の方法。
【請求項１２】
前記方法はさらに、
前記端末装置が前記省電力モードに入る時に、第三のタイマーをオンにすることと、
前記第三のタイマーがタイムアウトした場合、前記端末装置が前記省電力モードから通信モードに入ることであって、前記通信モードにある前記端末装置の前記無線周波数チャネルがオンになることと、を含むことを特徴とする
請求項１〜１１のいずれか一項に記載の方法。
【請求項１３】
前記方法はさらに、
前記端末装置が前記アクセスネットワーク装置とネゴシエートして前記第三のタイマーの時間長を確定すること、又は
前記端末装置がコアネットワーク装置とネゴシエートして前記第三のタイマーの時間長を確定することを含むことを特徴とする
請求項１２に記載の方法。
【請求項１４】
前記方法はさらに、
前記端末装置がページング領域の更新周期に従って、前記省電力モードから通信モードに入ることを確定することであって、前記通信モードにある前記端末装置の前記無線周波数チャネルがオンになることを含むことを特徴とする
請求項１〜１１のいずれか一項に記載の方法。
【請求項１５】
端末装置の状態を確定するための方法であって、
アクセスネットワーク装置が、端末装置が非アクティブ状態の下で省電力モードに入るか否かを確定することであって、前記省電力モードにある前記端末装置の無線周波数モジュールがオフになることと、
前記アクセスネットワーク装置が前記端末装置へ構成情報を送信することであって、前記構成情報が、前記端末装置が前記非アクティブ状態に入ること及び非アクティブ状態の下で前記省電力モードに入るか否かを示すことに用いられることと、を含む、前記方法。
【請求項１６】
前記アクセスネットワーク装置が、端末装置が非アクティブ状態の下で省電力モードに入るか否かを確定する前に、前記方法はさらに、
前記アクセスネットワーク装置が前記端末装置又はコアネットワーク装置から送信された能力情報を受信することであって、前記能力情報が、前記端末装置が前記省電力モードをサポートするか否かを示すことに用いられることを含み、
前記アクセスネットワーク装置が、端末装置が非アクティブ状態の下で省電力モードに入るか否かを確定することは、
前記能力情報が、前記端末装置が前記省電力モードをサポートすることを示す場合、前記アクセスネットワーク装置が、前記端末装置が非アクティブ状態の下で省電力モードに入ることを確定すること、又は
前記能力情報が、前記端末装置が前記省電力モードをサポートしないことを示す場合、前記アクセスネットワーク装置が、前記端末装置が非アクティブ状態の下で省電力モードに入らないことを確定することを含むことを特徴とする
請求項１５に記載の方法。
【請求項１７】
前記アクセスネットワーク装置が、端末装置が非アクティブ状態の下で省電力モードに入るか否かを確定する前に、前記方法はさらに、
前記アクセスネットワーク装置がコアネットワーク装置から送信された補助情報を受信することを含み、前記補助情報は、前記端末装置が現在前記省電力モードに入ることを許可するか否か、前記端末装置によって処理されているサービスが前記省電力モードに入ることを許可するか否か、前記省電力モードに入るサービスのサービス品質（ＱｏＳ）要求、前記端末装置のタイプ、前記端末装置のサービスモード及び動き情報のうちの少なくとも１つを含み、前記サービスモードが、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含み、前記動き情報が、前記端末装置の動き状態及び／又は移動レートを示すことに用いられ、
前記アクセスネットワーク装置が、端末装置が非アクティブ状態の下で省電力モードに入るか否かを確定することは、
前記アクセスネットワーク装置が前記補助情報に基づき、端末装置が非アクティブ状態の下で省電力モードに入るか否かを確定することを含むことを特徴とする
請求項１５に記載の方法。
【請求項１８】
前記構成情報は、第一のタイマーの時間長を含み、前記第一のタイマーは、前記端末装置が前記非アクティブ状態に入る時に起動するために用いられ、前記第一のタイマーがタイムアウトした時に前記端末装置は前記省電力モードに入ることを特徴とする
請求項１５に記載の方法。
【請求項１９】
前記方法はさらに、
前記アクセスネットワーク装置が前記コアネットワーク装置へ第一のタイマーの時間長を送信することであって、前記第一のタイマーの時間長が、前記コアネットワーク装置が前記端末装置へ前記サービスデータを送信する時間を確定するために用いられることを含むことを特徴とする
請求項１８に記載の方法。
【請求項２０】
前記方法はさらに、
前記アクセスネットワーク装置が前記コアネットワーク装置から送信されたサービスデータを受信することと、
前記アクセスネットワーク装置が前記第一のタイマーに従って、前記端末装置が前記省電力モードに入る第一の開始時点を確定することと、
前記アクセスネットワーク装置が前記第一の開始時点の前に、前記端末装置へ前記サービスデータを送信することと、を含むことを特徴とする
請求項１８に記載の方法。
【請求項２１】
前記方法はさらに、
前記アクセスネットワーク装置が前記端末装置とネゴシエートして第三のタイマーの時間長を確定することであって、前記第三のタイマーが、前記端末装置が前記省電力モードに入る時に起動するために用いられ、前記第三のタイマーがタイムアウトした場合、前記端末装置が前記省電力モードから通信モードに入り、前記通信モードにある前記端末装置の前記無線周波数チャネルがオンになることを含むことを特徴とする
請求項１５〜２０のいずれか一項に記載の方法。
【請求項２２】
前記構成情報は前記第三のタイマーの時間長を含むことを特徴とする
請求項２１に記載の方法。
【請求項２３】
前記方法はさらに、
前記アクセスネットワーク装置が前記コアネットワーク装置へ第三のタイマーの時間長を送信することであって、前記第三のタイマーの時間長が、前記コアネットワーク装置が前記端末装置へ前記サービスデータを送信する時間を確定するために用いられることを含むことを特徴とする
請求項２１又は２２に記載の方法。
【請求項２４】
前記方法はさらに、
前記アクセスネットワーク装置が前記コアネットワーク装置から送信されたサービスデータを受信することと、
前記アクセスネットワーク装置が前記第三のタイマーに従って、前記端末装置が前記通信モードに入る第三の開始時点を確定することと、
前記アクセスネットワーク装置が前記第三の開始時点の後、前記端末装置へ前記サービスデータを送信することと、を含むことを特徴とする
請求項２１又は２２に記載の方法。
【請求項２５】
端末装置の状態を確定するための方法であって、
アクセスネットワーク装置が端末装置へ構成情報を送信することであって、前記構成情報が、前記端末装置が非アクティブ状態に入ることを示すことに用いられることと、
前記アクセスネットワーク装置が、前記端末装置が前記非アクティブ状態に入った後に送信した要求情報を受信することであって、前記要求情報が、前記端末装置が前記非アクティブ状態の下で省電力モードに入ることを要求するために用いられ、前記省電力モードにある前記端末装置の無線周波数モジュールがオフになることと、
前記アクセスネットワーク装置が前記要求情報及び補助情報に基づき、前記端末装置へ構成情報を送信することであって、前記構成情報が、前記端末装置が前記非アクティブ状態の下で省電力モードに入るか否かを示すことに用いられることと、を含む、前記方法。
【請求項２６】
前記応答情報は、前記端末装置が前記省電力モードに入らないことを示すことに用いられ、前記応答情報は、前記アクセスネットワーク装置の拒絶理由を含むことを特徴とする
請求項２５に記載の方法。
【請求項２７】
前記応答情報は、前記端末装置が第二のタイマーに従って前記省電力モードに入ることを示すことに用いられ、前記第二のタイマーは前記端末装置が前記応答情報を受信する時に起動するために用いられ、前記第二のタイマーがタイムアウトした場合、前記端末装置は、前記省電力モードに入ることを特徴とする
請求項２５に記載の方法。
【請求項２８】
前記応答情報は前記第二のタイマーの時間長を含むことを特徴とする
請求項２７に記載の方法。
【請求項２９】
前記方法はさらに、
前記アクセスネットワーク装置が前記コアネットワーク装置へ第二のタイマーの時間長を送信することであって、前記第二のタイマーの時間長が、前記コアネットワーク装置が前記端末装置へ前記サービスデータを送信する時間を確定するために用いられることを含むことを特徴とする
請求項２７又は２８に記載の方法。
【請求項３０】
前記方法はさらに、
前記アクセスネットワーク装置が前記コアネットワーク装置から送信されたサービスデータを受信することと、
前記前記アクセスネッワーク装置が前記第二のタイマーに従って、前記端末装置が前記省電力モードに入る第二の開始時点を確定することと、
前記アクセスネットワーク装置が前記第二の開始時点の前に、前記端末装置へ前記サービスデータを送信することと、を含むことを特徴とする
請求項２７又は２８に記載の方法。
【請求項３１】
前記方法はさらに、
前記アクセスネットワーク装置がコアネットワーク装置から送信された前記補助情報を受信することを含むことを特徴とする
請求項２５〜３０のいずれか一項に記載の方法。
【請求項３２】
前記補助情報は、前記端末装置が現在前記省電力モードに入ることを許可するか否か、前記端末装置によって処理されているサービスが前記省電力モードに入ることを許可するか否か、前記省電力モードに入るサービスのサービス品質（ＱｏＳ）要求、前記端末装置のタイプ、前記端末装置のサービスモード及び動き情報のうちの少なくとも１つを含み、前記サービスモードが、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含み、前記動き情報が前記端末装置の動き状態及び／又は移動レートを示すことに用いられることを特徴とする
請求項２５〜３１のいずれか一項に記載の方法。
【請求項３３】
前記方法はさらに、
前記アクセスネットワーク装置が前記端末装置とネゴシエートして第三のタイマーの時間長を確定することであって、前記第三のタイマーが、前記端末装置が前記省電力モードに入る時に起動するために用いられ、前記第三のタイマーがタイムアウトした場合、前記端末装置が前記省電力モードから通信モードに入り、前記通信モードにある前記端末装置の前記無線周波数チャネルがオンになることを含むことを特徴とする
請求項２５〜３１のいずれか一項に記載の方法。
【請求項３４】
前記構成情報は前記第三のタイマーの時間長を含むことを特徴とする
請求項２６に記載の方法。
【請求項３５】
前記方法はさらに、
前記アクセスネットワーク装置が前記コアネットワーク装置へ第三のタイマーの時間長を送信することであって、前記第三のタイマーの時間長が、前記コアネットワーク装置が前記端末装置へサービスデータを送信する時間を確定するために用いられることを含むことを特徴とする
請求項３３又は３４に記載の方法。
【請求項３６】
前記方法はさらに、
前記アクセスネットワーク装置が前記コアネットワーク装置から送信されたサービスデータを受信することと、
前記アクセスネットワーク装置が前記第三のタイマーに従って、前記端末装置が前記通信モードに入る第三の開始時点を確定することと、
前記アクセスネットワーク装置が前記第三の開始時点の後、前記端末装置へ前記サービスデータを送信することと、を含むことを特徴とする
請求項３３又は３４に記載の方法。
【請求項３７】
端末装置の状態を確定するための方法であって、
コアネットワーク装置がコントロールプレーンエンティティを介して端末装置のタイマー情報を確定することであって、前記タイマー情報が第二のタイマーの時間長及び／又は第三のタイマーの時間長を含み、前記第二のタイマーの時間長が、前記端末装置が前記第二のタイマーがタイムアウトした時に通信モードから省電力モードに入るために用いられ、前記第三のタイマーの時間長が、前記端末装置が前記第三のタイマーがタイムアウトした時に前記省電力モードから前記通信モードに入るために用いられ、前記省電力モードにある前記端末装置の無線周波数モジュールがオフになり、前記通信モードにある前記端末装置の前記無線周波数チャネルがオンになることと、
前記コアネットワーク装置が前記タイマー情報に基づき、ユーザプレーンエンティティを介して前記端末装置へサービスデータを送信することと、を含む、前記方法。
【請求項３８】
前記コアネットワーク装置がコントロールプレーンエンティティを介して端末装置のタイマー情報を確定することは、
前記コアネットワーク装置が前記コントロールプレーンエンティティを介して前記端末装置とネゴシエートして前記タイマー情報を確定することを含むことを特徴とする
請求項３７に記載の方法。
【請求項３９】
前記コアネットワーク装置がコントロールプレーンエンティティを介して端末装置のタイマー情報を確定することは、
前記コアネットワーク装置がアクセスネットワーク装置から送信されたタイマー情報を、前記コントロールプレーンエンティティを介して受信することであって、前記タイマー情報が前記アクセスネットワーク装置と前記端末装置によってネゴシエートして確定されることを含むことを特徴とする
請求項３７に記載の方法。
【請求項４０】
前記方法はさらに、
前記コアネットワーク装置がアクセスネットワーク装置へ補助情報を送信することであって、前記補助情報が、前記アクセスネットワーク装置が前記端末装置が前記非アクティブ状態の下で省電力モードに入るか否かを確定するために用いられることを含むことを特徴とする
請求項３７〜３９に記載の方法。
【請求項４１】
前記補助情報は、前記端末装置が現在前記省電力モードに入ることを許可するか否か、前記端末装置によって処理されているサービスが前記省電力モードに入ることを許可するか否か、前記省電力モードに入るサービスのサービス品質（ＱｏＳ）要求、及び前記端末装置のタイプ、前記端末装置のサービスモード及び動き情報のうちの少なくとも１つを含み、前記サービスモードは、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含み、前記動き情報は前記端末装置の動き状態及び／又は移動レートを示すことに用いられることを特徴とする
請求項４０に記載の方法。
【請求項４２】
端末装置の状態を確定するための方法であって、
コアネットワーク装置がコントロールプレーンエンティティを介して端末装置とネゴシエートしてタイマー情報を確定することであって、前記タイマー情報が第二のタイマーの時間長及び／又は第三のタイマーの時間長を含み、前記第二のタイマーの時間長が、前記端末装置が前記第二のタイマーがタイムアウトした時に通信モードから省電力モードに入るために用いられ、前記第三のタイマーの時間長が、前記端末装置が前記第三のタイマーがタイムアウトした時に前記省電力モードから前記通信モードに入るために用いられ、前記省電力モードにある前記端末装置の無線周波数モジュールがオフになり、前記通信モードにある前記端末装置の前記無線周波数チャネルがオンになることと、
前記コアネットワーク装置がコントロールプレーンエンティティを介してアクセスネットワーク装置へ前記タイマー情報を送信することであって、前記タイマー情報は、前記アクセスネットワーク装置が、前記端末装置が前記通信モードにある時間を確定するために用いられることと、
前記コアネットワーク装置がユーザプレーンエンティティを介して前記アクセスネットワーク装置へサービスデータを送信することであって、前記サービスデータが、前記アクセスネットワーク装置が前記時間内で前記端末装置へ前記サービスデータを送信するために用いられることと、を含む、前記方法。
【請求項４３】
前記方法はさらに、
前記コアネットワーク装置がアクセスネットワーク装置へ補助情報を送信することであって、前記補助情報が、前記アクセスネットワーク装置が前記端末装置が前記非アクティブ状態の下で省電力モードに入るか否かを確定するために用いられることを含むことを特徴とする
請求項４２に記載の方法。
【請求項４４】
前記補助情報は、前記端末装置が現在前記省電力モードに入ることを許可するか否か、前記端末装置によって処理されているサービスが前記省電力モードに入ることを許可するか否か、前記省電力モードに入るサービスのサービス品質（ＱｏＳ）要求、及び前記端末装置のタイプ、前記端末装置のサービスモード及び動き情報のうちの少なくとも１つを含み、前記サービスモードは、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含み、前記動き情報は前記端末装置の動き状態及び／又は移動レートを示すことに用いられることを特徴とする
請求項４３に記載の方法。
【請求項４５】
端末装置の状態を確定するための方法であって、
端末装置がアクセスネットワーク装置から送信された構成情報を受信することであって、前記構成情報が、端末装置が非アクティブ状態に入ることを示すことに用いられることと、
前記端末装置が前記非アクティブ状態の下で省電力モードに入るか否かを確定することであって、前記省電力モードにある前記端末装置が拡張周期の不連続受信（ＤＲＸ）を採用することと、を含む、前記方法。
【請求項４６】
前記構成情報はさらに前記端末装置が前記省電力モードに入ることを示すことに用いられ、
前記端末装置が前記非アクティブ状態の下で省電力モードに入るか否かを確定することは、
前記端末装置が前記構成情報に基づき、前記非アクティブ状態に入るとともに、前記省電力モードに入ることを含むことを特徴とする
請求項４５に記載の方法。
【請求項４７】
前記構成情報は前記ＤＲＸの拡張周期を含むことを特徴とする
請求項４６に記載の方法。
【請求項４８】
前記端末装置が前記非アクティブ状態の下で省電力モードに入るか否かを確定することは、
前記端末装置がコアネットワーク装置とネゴシエートしてアイドル状態での拡張ＤＲＸの周期を確定した場合、前記端末装置が、省電力モードに入ることを確定することであって、前記アイドル状態での拡張ＤＲＸの周期と非アクセス層（ＮＡＳ）メッセージ再送信タイマーの時間長のうちの最小値を、前記ＤＲＸの拡張周期として確定することを含むことを特徴とする
請求項４５に記載の方法。
【請求項４９】
前記端末装置が前記非アクティブ状態の下で省電力モードに入るか否かを確定することは、
前記端末装置が前記非アクティブ状態に入る時に、第一のタイマーをオンにすることと、
前記第一のタイマーがタイムアウトした場合、前記端末装置が前記省電力モードに入ることと、を含むことを特徴とする
請求項４５に記載の方法。
【請求項５０】
前記構成情報はさらに前記第一のタイマーの時間長を示すことに用いられることを特徴とする
請求項４９に記載の方法。
【請求項５１】
前記端末装置が前記非アクティブ状態の下で省電力モードに入るか否かを確定することは、
前記端末装置が前記アクセスネットワーク装置から送信された前記構成情報を受信した後、前記端末装置が予め設定された条件に応じて、省電力モードに入ることを確定することを含むことを特徴とする
請求項４５に記載の方法。
【請求項５２】
前記方法はさらに、
前記端末装置が前記非アクティブ状態及び前記省電力モードに入った後に、前記アクセスネットワーク装置へ確認情報を送信することであって、前記確認情報は、前記アクセスネットワーク装置が、前記端末装置が前記非アクティブ状態及び前記省電力モードに入ることを確定するために用いられることを含むことを特徴とする
請求項５１に記載の方法。
【請求項５３】
前記端末装置が前記非アクティブ状態の下で省電力モードに入るか否かを確定することは、
前記端末装置が前記アクセスネットワーク装置から送信された前記構成情報を受信した後、前記端末装置が非アクティブ状態に入り、前記アクセスネットワーク装置又はコアネットワーク装置から送信された指示情報を受信することと、
前記端末装置が前記指示情報に基づき、省電力モードに入ることを確定することと、を含むことを特徴とする
請求項４５に記載の方法。
【請求項５４】
前記指示情報は前記ＤＲＸの拡張周期を示すことに用いられることを特徴とする
請求項５３に記載の方法。
【請求項５５】
前記端末装置が前記非アクティブ状態の下で省電力モードに入るか否かを確定することは、
前記端末装置が前記アクセスネットワーク装置から送信された前記構成情報を受信した後、前記端末装置が非アクティブ状態に入り、予め設定された条件に応じて、前記非アクティブ状態の下で省電力モードに入ることができることを確定することと、
前記端末装置が前記アクセスネットワーク装置へ要求情報を送信することであって、前記要求情報が、前記端末装置が前記非アクティブ状態の下で前記省電力モードに入ることを前記アクセスネットワーク装置に要求するために用いられることと、
前記端末装置が、前記アクセスネットワーク装置が前記要求情報に基づいて送信した応答情報を受信することであって、前記応答情報が、前記端末装置が前記省電力モードに入るか否かを示すことに用いられることと、
前記端末装置が前記応答情報に基づき、前記省電力モードに入るか否かを確定することと、を含むことを特徴とする
請求項４５に記載の方法。
【請求項５６】
前記応答情報は、前記端末装置が前記省電力モードに入らないことを示すことに用いられ、前記応答情報は、前記アクセスネットワーク装置の拒絶理由を含むことを特徴とする
請求項５５に記載の方法。
【請求項５７】
前記応答情報は、前記端末装置が第二のタイマーに従って前記省電力モードに入ることを示すことに用いられ、
前記端末装置が前記応答情報に基づき、前記省電力モードに入るか否かを確定することは、
前記端末装置が前記応答情報を受信する時に、前記第二のタイマーをオンにすることと、
前記第二のタイマーがタイムアウトした場合、前記端末装置が前記省電力モードに入ることと、を含むことを特徴とする
請求項５５に記載の方法。
【請求項５８】
前記応答情報は前記第二のタイマーの時間長を含むことを特徴とする
請求項５７に記載の方法。
【請求項５９】
前記予め設定された条件は、
前記端末装置が前記省電力モードをサポートすることを確定すること、
前記端末装置が省電力を目的とする端末装置であること、
前記端末装置におけるサービスが、前記端末装置が前記省電力モードに入ることを許可すること、
前記端末装置のサービスモードであって、前記端末装置のサービスモードは、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数を含むこと、
前記端末装置の動き情報であって、前記端末装置の動き情報は、前記端末装置の動き状態及び／又は移動レートを示すことに用いられること、
前記端末装置はコアネットワーク装置とネゴシエートしてＤＲＸの拡張周期を確定すること、
のうちの少なくとも１つを含むことを特徴とする
請求項５１、５２、５５−５８のいずれか一項に記載の方法。
【請求項６０】
前記方法はさらに、
前記端末装置が前記省電力モードに入る時に、第三のタイマーをオンにすることと、
前記第三のタイマーがタイムアウトした場合、前記端末装置が前記省電力モードから通信モードに入り、前記通信モードにある前記端末装置の前記無線周波数チャネルがオンになることと、を含むことを特徴とする
請求項４５〜５９のいずれか一項に記載の方法。
【請求項６１】
前記方法はさらに、
前記端末装置が前記アクセスネットワーク装置とネゴシエートして前記第三のタイマーの時間長を確定すること、又は
前記端末装置がコアネットワーク装置とネゴシエートして前記第三のタイマーの時間長を確定することを含むことを特徴とする
請求項６０に記載の方法。
【請求項６２】
前記方法はさらに、
前記端末装置がページング領域の更新周期に従って、前記省電力モードから通信モードに入ることを確定し、前記通信モードにある前記端末装置の前記無線周波数チャネルがオンになることを含むことを特徴とする
請求項４５〜５９のいずれか一項に記載の方法。
【請求項６３】
端末装置の状態を確定するための方法であって、
アクセスネットワーク装置が端末装置へ構成情報を送信することであって、前記構成情報が、前記端末装置が非アクティブ状態に入ることを示すことに用いられることと、
前記アクセスネットワーク装置が、前記端末装置が非アクティブ状態の下で省電力モードに入るか否かを確定することであって、前記省電力モードにある前記端末装置が拡張周期の不連続受信（ＤＲＸ）を採用することと、を含む、前記方法。
【請求項６４】
前記アクセスネットワーク装置が、端末装置が非アクティブ状態の下で省電力モードに入るか否かを確定する前に、前記方法はさらに、
前記アクセスネットワーク装置が前記端末装置又はコアネットワーク装置から送信された能力情報を受信することであって、前記能力情報が、前記端末装置が前記省電力モードをサポートするか否かを示すことに用いられることを含み、
前記アクセスネットワーク装置が、端末装置が非アクティブ状態の下で省電力モードに入るか否かを確定することは、
前記能力情報が、前記端末装置が前記省電力モードをサポートすることを示す場合、前記アクセスネットワーク装置が、前記端末装置が非アクティブ状態の下で省電力モードに入ることを確定すること、又は
前記能力情報が、前記端末装置が前記省電力モードをサポートしないことを示す場合、前記アクセスネットワーク装置が、前記端末装置が非アクティブ状態の下で省電力モードに入らないことを確定することを含むことを特徴とする
請求項６３に記載の方法。
【請求項６５】
前記アクセスネットワーク装置が、端末装置が非アクティブ状態の下で省電力モードに入るか否かを確定する前に、前記方法はさらに、
前記アクセスネットワーク装置がコアネットワーク装置から送信された補助情報を受信することを含み、前記補助情報は、前記端末装置が現在前記省電力モードに入ることを許可するか否か、前記端末装置によって処理されているサービスが前記省電力モードに入ることを許可するか否か、前記省電力モードに入るサービスのサービス品質（ＱｏＳ）要求、前記端末装置のタイプ、前記端末装置のサービスモード、動き情報及びＤＲＸパラメータ情報のうちの少なくとも１つを含み、前記サービスモードは、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含み、前記動き情報は前記端末装置の動き状態及び／又は移動レートを示すことに用いられ、前記ＤＲＸパラメータ情報は、前記アクセスネットワーク装置が前記ＤＲＸの拡張周期を確定するために用いられ、
前記アクセスネットワーク装置が、端末装置が非アクティブ状態の下で省電力モードに入るか否かを確定することは、
前記アクセスネットワーク装置が前記補助情報に基づき、端末装置が非アクティブ状態の下で省電力モードに入るか否かを確定することを含むことを特徴とする
請求項６３に記載の方法。
【請求項６６】
前記ＤＲＸの拡張周期は、前記端末装置と前記コアネットワーク装置によってネゴシエートされたアイドル状態での拡張ＤＲＸの周期と非アクセス層（ＮＡＳ）メッセージ再送信タイマーの時間長のうちの最小値であることを特徴とする
請求項６５に記載の方法。
【請求項６７】
前記ＤＲＸパラメータ情報は、前記ＤＲＸの拡張周期を含むことを特徴とする
請求項６６に記載の方法。
【請求項６８】
前記ＤＲＸパラメータ情報は、前記端末装置と前記コアネットワーク装置によってネゴシエートされたアイドル状態での拡張ＤＲＸの周期と非アクセス層（ＮＡＳ）メッセージ再送信タイマーの時間長を含み、前記方法はさらに、
前記アクセスネットワーク装置が前記端末装置と前記コアネットワーク装置によってネゴシエートされたアイドル状態での拡張ＤＲＸの周期と非アクセス層（ＮＡＳ）メッセージ再送信タイマーの時間長のうちの最小値を前記ＤＲＸの拡張周期として確定することを含むことを特徴とする
請求項６６に記載の方法。
【請求項６９】
前記アクセスネットワーク装置が、前記端末装置が非アクティブ状態の下で前記省電力モードに入ることを確定する場合、前記構成情報はさらに前記端末装置が前記省電力モードに入ることを示すことに用いられることを特徴とする
請求項６３〜６８のいずれか一項に記載の方法。
【請求項７０】
前記構成情報は前記ＤＲＸの拡張周期を含むことを特徴とする
請求項６９に記載の方法。
【請求項７１】
前記アクセスネットワーク装置が、前記端末装置が非アクティブ状態の下で前記省電力モードに入ることを確定する場合、前記方法はさらに、
前記アクセスネットワーク装置が前記端末装置へ指示情報を送信し、前記指示情報が、前記端末装置が非アクティブ状態の下で前記省電力モードに入ることを示すことに用いられることを含むことを特徴とする
請求項６３〜６８のいずれか一項に記載の方法。
【請求項７２】
前記指示情報は前記ＤＲＸの拡張周期を含むことを特徴とする
請求項７１に記載の方法。
【請求項７３】
端末装置の状態を確定するための方法であって、
コアネットワーク装置が端末装置とネゴシエートして前記端末装置が拡張周期の不連続受信（ＤＲＸ）を採用する時の拡張周期を確定することであって、前記拡張周期が、前記端末装置が非アクティブ状態の下で省電力モードに入るか否かを確定するために用いられ、前記省電力モードにある前記端末装置が前記拡張周期のＤＲＸを採用することを含む、前記方法。
【請求項７４】
前記方法はさらに、
前記コアネットワーク装置が、
前記端末装置が前記非アクティブ状態で前記拡張周期のＤＲＸを用いることをサポートするか否かこと、
前記端末装置が前記非アクティブ状態で前記拡張周期のＤＲＸを用いることを要求するか否かこと、
前記端末装置と前記コアネットワーク装置が前記非アクティブ状態で前記拡張周期のＤＲＸを用いることをサポートするか否かをネゴシエートすること、
前記コアネットワーク装置とアクセスネットワーク装置が前記非アクティブ状態で前記拡張周期のＤＲＸを用いることをサポートか否か、又は前記非アクティブ状態で前記拡張周期のＤＲＸを用いるか否かをネゴシエートすること、
のうちの少なくとも１つの条件に応じて、前記拡張周期を確定することを含むことを特徴とする
請求項７３に記載の方法。
【請求項７５】
前記方法はさらに、
前記コアネットワーク装置が前記端末装置及び／又はアクセスネットワーク装置へ前記ＤＲＸのパラメータ情報を送信することであって、前記ＤＲＸのパラメータ情報が前記拡張周期を示すことに用いられることを含むことを特徴とする
請求項７３又は７４に記載の方法。
【請求項７６】
前記拡張周期は、前記端末装置と前記コアネットワーク装置によってネゴシエートされたアイドル状態での拡張ＤＲＸの周期と非アクセス層（ＮＡＳ）メッセージ再送信タイマーの時間長のうちの最小値であることを特徴とする
請求項７５に記載の方法。
【請求項７７】
前記コアネットワーク装置が端末装置とネゴシエートして前記端末装置が拡張周期の不連続受信（ＤＲＸ）を採用する時の拡張周期を確定することは、
前記コアネットワーク装置が前記端末装置と前記コアネットワーク装置によってネゴシエートされたアイドル状態での拡張ＤＲＸの周期と非アクセス層（ＮＡＳ）メッセージ再送信タイマーの時間長のうちの最小値を前記拡張周期として確定することを含むことを特徴とする
請求項７６に記載の方法。
【請求項７８】
前記ＤＲＸパラメータ情報は、前記拡張周期を含むことを特徴とする
請求項７７に記載の方法。
【請求項７９】
前記ＤＲＸパラメータ情報は、前記端末装置と前記コアネットワーク装置によってネゴシエートされたアイドル状態での拡張ＤＲＸの周期と非アクセス層（ＮＡＳ）メッセージ再送信タイマーの時間長を含むことを特徴とする
請求項７６に記載の方法。
【請求項８０】
端末装置であって、
アクセスネットワーク装置から送信された構成情報を受信するように構成される受信ユニットであって、前記構成情報が、端末装置が非アクティブ状態に入ることを示すことに用いられる受信ユニットと、
前記非アクティブ状態の下で省電力モードに入るか否かを確定するように構成される処理ユニットであって、前記省電力モードにある前記端末装置の無線周波数モジュールがオフになる処理ユニットと、を備える、前記端末装置。
【請求項８１】
前記構成情報はさらに前記端末装置が前記省電力モードに入ることを示すことに用いられ、
前記処理ユニットは具体的に、
前記構成情報に基づき、前記非アクティブ状態に入るとともに、前記省電力モードに入るように構成されることを特徴とする
請求項８０に記載の端末装置。
【請求項８２】
前記端末装置はさらに、
前記アクセスネットワーク装置へ能力情報を送信するように構成される送信ユニットであって、前記能力情報が、前記端末装置が前記省電力モードをサポートするか否かを示すことに用いられ、前記構成情報が、前記アクセスネットワーク装置によって前記能力情報に基づいて確定される送信ユニットを備えることを特徴とする
請求項８１に記載の端末装置。
【請求項８３】
前記処理ユニットは具体的に、
前記非アクティブ状態に入る時に、第一のタイマーをオンにし、
前記第一のタイマーがタイムアウトした場合、前記省電力モードに入るように構成されることを特徴とする
請求項８０に記載の端末装置。
【請求項８４】
前記構成情報はさらに前記第一のタイマーの時間長を示すことに用いられることを特徴とする
請求項８３に記載の端末装置。
【請求項８５】
前記処理ユニットは具体的に、
前記受信ユニットが前記アクセスネットワーク装置から送信された前記構成情報を受信した後、予め設定された条件に応じて、省電力モードに入ることを確定し、
前記非アクティブ状態に入りながら前記省電力モードに入るように構成され、
前記端末装置はさらに、
前記アクセスネットワーク装置へ確認情報を送信するように構成され、前記確認情報が、前記アクセスネットワーク装置が前記端末装置が前記非アクティブ状態及び前記省電力モードに入ることを確定するために用いられる送信ユニットを備えることを特徴とする
請求項８０に記載の端末装置。
【請求項８６】
前記処理ユニットは具体的に、
前記受信ユニットが前記アクセスネットワーク装置から送信された前記構成情報を受信した後、非アクティブ状態に入り、予め設定された条件に応じて、前記非アクティブ状態の下で省電力モードに入ることができることを確定するように構成され、
前記端末装置はさらに、
前記アクセスネットワーク装置へ要求情報を送信するように構成される送信ユニットであって、前記要求情報が、前記端末装置が前記非アクティブ状態の下で前記省電力モードに入ることを前記アクセスネットワーク装置に要求するために用いられる送信ユニットを備え、
前記受信ユニットは具体的に、
前記アクセスネットワーク装置が前記要求情報に基づいて送信した応答情報を受信し、前記応答情報が、前記端末装置が前記省電力モードに入るか否かを示すことに用いられ、
前記処理ユニットは具体的に、
前記応答情報に基づき、前記省電力モードに入るか否かを確定するように構成されることを特徴とする
請求項８０に記載の端末装置。
【請求項８７】
前記応答情報は、前記端末装置が前記省電力モードに入らないことを示すことに用いられ、前記応答情報は、前記アクセスネットワーク装置の拒絶理由を含むことを特徴とする
請求項８６に記載の端末装置。
【請求項８８】
前記応答情報は、前記端末装置が第二のタイマーに従って前記省電力モードに入ることを示すことに用いられ、
前記処理ユニットは具体的に、
前記受信ユニットが前記応答情報を受信する時に、前記第二のタイマーをオンにし、
前記第二のタイマーがタイムアウトした場合、前記省電力モードに入るように構成されることを特徴とする
請求項８６に記載の端末装置。
【請求項８９】
前記応答情報は前記第二のタイマーの時間長を含むことを特徴とする
請求項８８に記載の端末装置。
【請求項９０】
前記予め設定された条件は、
前記端末装置が前記省電力モードをサポートすることを確定すること、
前記端末装置が省電力を目的とする端末装置であること、
前記端末装置におけるサービスが、前記端末装置が前記省電力モードに入ることを許可すること、
前記端末装置のサービスモードであって、前記端末装置のサービスモードは、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含むこと、及び
前記端末装置の動き情報であって、前記端末装置の動き情報は、前記端末装置の動き状態及び／又は移動レートを示すことに用いられること、
のうちの少なくとも１つを含むことを特徴とする
請求項８５〜８９のいずれか一項に記載の端末装置。
【請求項９１】
前記処理ユニットは具体的に、
前記省電力モードに入る時に、第三のタイマーをオンにし、
前記第三のタイマーがタイムアウトした場合、前記省電力モードから通信モードに入るように構成され、前記通信モードにある前記端末装置の前記無線周波数チャネルがオンになることを特徴とする
請求項８０〜９０のいずれか一項に記載の端末装置。
【請求項９２】
前記処理ユニットは具体的に、
前記アクセスネットワーク装置とネゴシエートして前記第三のタイマーの時間長を確定し、
コアネットワーク装置とネゴシエートして前記第三のタイマーの時間長を確定するように構成されることを特徴とする
請求項９１に記載の端末装置。
【請求項９３】
前記処理ユニットは具体的に、
ページング領域の更新周期に従って、前記省電力モードから通信モードに入ることを確定するように構成され、前記通信モードにある前記端末装置の前記無線周波数チャネルがオンになることを特徴とする
請求項８０〜９０のいずれか一項に記載の端末装置。
【請求項９４】
アクセスネットワーク装置であって、
端末装置が非アクティブ状態の下で省電力モードに入るか否かを確定するように構成される確定ユニットであって、前記省電力モードにある前記端末装置の無線周波数モジュールがオフになる確定ユニットと、
前記端末装置へ構成情報を送信するように構成される送信ユニットであって、前記構成情報が、前記端末装置が前記非アクティブ状態に入ること及び非アクティブ状態の下で前記省電力モードに入るか否かを示すことに用いられる送信ユニットと、を備える、前記アクセスネットワーク装置。
【請求項９５】
アクセスネットワーク装置であって、
端末装置へ構成情報を送信するように構成される送信ユニットであって、前記構成情報が、前記端末装置が非アクティブ状態に入ることを示すことに用いられる送信ユニットと、
前記端末装置が前記非アクティブ状態に入った後に送信した要求情報を、受信するように構成される受信ユニットであって、前記要求情報が、前記端末装置が前記非アクティブ状態の下で省電力モードに入ることを要求するために用いられ、前記省電力モードにある前記端末装置の無線周波数モジュールがオフになる受信ユニットと、を備え、
前記送信ユニットは、さらに前記要求情報及び補助情報に基づき、前記端末装置へ構成情報を送信するように構成され、前記構成情報が、前記端末装置が前記非アクティブ状態の下で省電力モードに入るか否かを示すことに用いられる、前記アクセスネットワーク装置。
【請求項９６】
コアネットワーク装置であって、
コントロールプレーンエンティティを介して端末装置のタイマー情報を確定するように構成される確定ユニットであって、前記タイマー情報が第二のタイマーの時間長及び／又は第三のタイマーの時間長を含み、前記第二のタイマーの時間長が、前記端末装置が前記第二のタイマーがタイムアウトした時に通信モードから省電力モードに入るために用いられ、前記第三のタイマーの時間長が、前記端末装置が前記第三のタイマーがタイムアウトした時に前記省電力モードから前記通信モードに入るために用いられ、前記省電力モードにある前記端末装置の無線周波数モジュールがオフになり、前記通信モードにある前記端末装置の前記無線周波数チャネルがオンになる確定ユニットと、
前記タイマー情報に基づき、ユーザプレーンエンティティを介して前記端末装置へサービスデータを送信するように構成される送信ユニットと、を備える、前記コアネットワーク装置。
【請求項９７】
コアネットワーク装置であって、
コントロールプレーンエンティティを介して端末装置とネゴシエートしてタイマー情報を確定するように構成される確定ユニットであって、前記タイマー情報が第二のタイマーの時間長及び／又は第三のタイマーの時間長を含み、前記第二のタイマーの時間長が、前記端末装置が前記第二のタイマーがタイムアウトした時に通信モードから省電力モードに入るために用いられ、前記第三のタイマーの時間長が、前記端末装置が前記第三のタイマーがタイムアウトした時に前記省電力モードから前記通信モードに入るために用いられ、前記省電力モードにある前記端末装置の無線周波数モジュールがオフになり、前記通信モードにある前記端末装置の前記無線周波数チャネルがオンになる確定ユニットと、
コントロールプレーンエンティティを介してアクセスネットワーク装置へ前記タイマー情報を送信するように構成される送信ユニットであって、前記タイマー情報が、前記アクセスネットワーク装置が前記端末装置が前記通信モードにある時間を確定するために用いられる送信ユニットと、を備え、
前記送信ユニットはさらにユーザプレーンエンティティを介して前記アクセスネットワーク装置へサービスデータを送信するように構成され、前記サービスデータが、前記アクセスネットワーク装置が前記時間内で前記端末装置へ前記サービスデータを送信するために用いられる、前記コアネットワーク装置。
【請求項９８】
端末装置であって、
アクセスネットワーク装置から送信された構成情報を受信するように構成される送受信ユニットであって、前記構成情報が、端末装置が非アクティブ状態に入ることを示すことに用いられる送受信ユニットと、
前記非アクティブ状態の下で省電力モードに入るか否かを確定するように構成される処理ユニットであって、前記省電力モードにある前記端末装置が拡張周期の不連続受信（ＤＲＸ）を採用する処理ユニットと、を備える、前記端末装置。
【請求項９９】
アクセスネットワーク装置であって、
端末装置へ構成情報を送信するように構成される送受信ユニットであって、前記構成情報が、前記端末装置が非アクティブ状態に入ることを示すこと用いられる送受信ユニットと、
前記端末装置が非アクティブ状態の下で省電力モードに入るか否かを確定するように構成される処理ユニットであって、前記省電力モードにある前記端末装置が拡張周期の不連続受信（ＤＲＸ）を採用する処理ユニットと、を備える、前記アクセスネットワーク装置。
【請求項１００】
コアネットワーク装置であって、
端末装置とネゴシエートして前記端末装置が拡張周期の不連続受信（ＤＲＸ）を採用する時の拡張周期を確定するように構成される処理ユニットであって、前記拡張周期が、前記端末装置が非アクティブ状態の下で省電力モードに入るか否かを確定するために用いられ、前記省電力モードにある前記端末装置が前記拡張周期のＤＲＸを採用する処理ユニットを備える、前記コアネットワーク装置。
【請求項１０１】
端末装置であって、プロセッサとメモリを備え、前記メモリがコンピュータプログラムを記憶するように構成され、前記プロセッサが前記メモリに記憶されたコンピュータプログラムを呼び出して実行して、請求項１〜１４、４５〜６２のいずれか一項に記載の端末装置の状態を確定するための方法を実行するように構成される、前記端末装置。
【請求項１０２】
アクセスネットワーク装置であって、プロセッサとメモリを備え、前記メモリがコンピュータプログラムを記憶するように構成され、前記プロセッサが前記メモリに記憶されたコンピュータプログラムを呼び出して実行して、請求項１５〜３６、６３〜７２のいずれか一項に記載の端末装置の状態を確定するための方法を実行するように構成される、前記アクセスネットワーク装置。
【請求項１０３】
コアネットワーク装置であって、プロセッサとメモリを備え、前記メモリがコンピュータプログラムを記憶するように構成され、前記プロセッサが前記メモリに記憶されたコンピュータプログラムを呼び出して実行して、請求項３７〜４４、７３〜７９のいずれか一項に記載の端末装置の状態を確定するための方法を実行するように構成される、前記コアネットワーク装置。
【請求項１０４】
コンピュータ可読記憶媒体であって、コンピュータプログラムを記憶することに用いられ、前記コンピュータプログラムによりコンピュータが請求項１〜１４、４５〜６２のいずれか一項に記載される端末装置の状態を確定するための方法を実行する、前記コンピュータ可読記憶媒体。
【請求項１０５】
コンピュータ可読記憶媒体であって、コンピュータプログラムを記憶することに用いられ、前記コンピュータプログラムによりコンピュータが請求項１５〜３６、６３〜７２のいずれか一項に記載される端末装置の状態を確定するための方法を実行する、前記コンピュータ可読記憶媒体。
【請求項１０６】
コンピュータ可読記憶媒体であって、コンピュータプログラムを記憶することに用いられ、前記コンピュータプログラムによりコンピュータが請求項３７〜４４、７３〜７９のいずれか一項に記載される端末装置の状態を確定するための方法を実行する、前記コンピュータ可読記憶媒体。
【請求項１０７】
チップであって、メモリからコンピュータプログラムを呼び出して実行するように構成されるプロセッサを備え、前記コンピュータプログラムにより、前記チップが取り付けられた装置が請求項１〜１４、４５〜６２のいずれか一項に記載の端末装置の状態を確定するための方法を実行する、前記チップ。
【請求項１０８】
チップであって、メモリからコンピュータプログラムを呼び出して実行するように構成されるプロセッサを備え、前記コンピュータプログラムにより、前記チップが取り付けられた装置が請求項１５〜３６、６３〜７２のいずれか一項に記載の端末装置の状態を確定するための方法を実行する、前記チップ。
【請求項１０９】
チップであって、メモリからコンピュータプログラムを呼び出して実行するように構成されるプロセッサを備え、前記コンピュータプログラムにより、前記チップが取り付けられた装置が請求項３７〜４４、７３〜７９のいずれか一項に記載の端末装置の状態を確定するための方法を実行する、前記チップ。
【請求項１１０】
コンピュータプログラム製品であって、コンピュータプログラム命令を含み、前記コンピュータプログラム命令によりコンピュータが請求項１〜１４、４５〜６２のいずれか一項に記載される端末装置の状態を確定するための方法を実行する、前記コンピュータプログラム製品。
【請求項１１１】
コンピュータプログラム製品であって、コンピュータプログラム命令を含み、前記コンピュータプログラム命令によりコンピュータが請求項１５〜３６、６３〜７２のいずれか一項に記載される端末装置の状態を確定するための方法を実行する、前記コンピュータプログラム製品。
【請求項１１２】
コンピュータプログラム製品であって、コンピュータプログラム命令を含み、前記コンピュータプログラム命令によりコンピュータが請求項３７〜４４、７３〜７９のいずれか一項に記載される端末装置の状態を確定するための方法を実行する、前記コンピュータプログラム製品。
【請求項１１３】
コンピュータプログラムであって、コンピュータプログラムにより、コンピュータが請求項１〜１４、４５〜６２のいずれか一項に記載される端末装置の状態を確定するための方法を実行する、前記コンピュータプログラム。
【請求項１１４】
コンピュータプログラムであって、前記コンピュータプログラムにより、コンピュータが請求項１５〜３６、６３〜７２のいずれか一項に記載される端末装置の状態を確定するための方法を実行する、前記コンピュータプログラム。
【請求項１１５】
コンピュータプログラムであって、前記コンピュータプログラムにより、コンピュータが請求項３７〜４４、７３〜７９のいずれか一項に記載される端末装置の状態を確定するための方法を実行する、前記コンピュータプログラム。
【発明の詳細な説明】
【技術分野】
【０００１】
（関連出願への相互参照）
本出願は、２０１８年１月１０日に中国特許庁に提出された、出願番号がＰＣＴ／ＣＮ２０１８／０７２１４３であり、出願名称が「端末装置の状態を確定するための方法、端末装置及びアクセスネットワーク装置」であるＰＣＴ特許出願、及び２０１８年５月２１日に中国特許庁に提出された、出願番号がＰＣＴ／ＣＮ２０１８／０８７７１８であり、出願名称が「端末装置の状態を確定するための方法、端末装置及びアクセスネットワーク装置」であるＰＣＴ特許出願に対する優先権を主張し、その全ての内容が参照により本出願に組み込まれる。
【０００２】
本出願は通信分野に関し、特に端末装置の状態を確定するための方法、端末装置及びアクセスネットワーク装置に関する。
【背景技術】
【０００３】
従来の方式では、端末装置の電力を節約するために、端末装置がデータ伝送を行わない場合、端末装置は、アイドル状態に入り、その後、省電力モードに入る。端末装置は省電力モードで、シャットダウンと同様であり、データ伝送に関連する動作を実行しない。端末装置が省電力モードからウェイクアップする必要がある場合、例えば、データ送信又はエリア更新を実行する必要がある場合、端末装置は、ネットワーク装置と接続を能動的に確立する。端末装置が省電力モードにある場合、端末装置はネットワーク装置が到達できない。着信データがあると、ネットワーク装置は、端末装置がウェイクアップする時に、例えばデータ送信又はエリア更新を実行する時に、端末装置に送信することができる。
【０００４】
第５世代（５Ｇ：５ｔｈ  ｇｅｎｅｒａｔｉｏｎ）システムでは、非アクティブ状態の概念が導入され、端末装置が非アクティブ状態にある場合、端末装置のコンテキストは依然としてネットワーク装置側に保存されるが、端末装置とネットワーク装置の間でデータ伝送が実行されない。端末装置がデータを伝送する必要がある場合、端末装置とネットワーク装置は端末装置のコンテキストを復元し、これにより、データ伝送の時間を節約する。しかし、どのように非アクティブ状態にある端末装置の電力消費をさらに節約するかは依然として解決すべき問題である。
【発明の概要】
【発明が解決しようとする課題】
【０００５】
本出願は、非アクティブ状態にある端末装置の消費電力を節約することができる、端末装置の状態を確定するための方法、端末装置及びアクセスネットワーク装置を提供する。
【課題を解決するための手段】
【０００６】
第一の態様による端末装置の状態を確定するための方法は、端末装置がアクセスネットワーク装置から送信された構成情報を受信することであって、前記構成情報が、端末装置が非アクティブ状態に入ることを示すことに用いられることと、前記端末装置が前記非アクティブ状態の下で省電力モードに入るか否かを確定し、前記省電力モードにある前記端末装置の無線周波数モジュールがオフになることと、を含む。
【０００７】
したがって、本出願の実施形態による端末装置の状態を確定するための方法では、端末装置は、アクセスネットワーク装置から送信された構成情報を受信し、該構成情報に基づいて非アクティブ状態に入り、そして非アクティブ状態にある場合で省電力モードに入ることができるか否かを確定することができ、非アクティブ状態にある端末装置が省電力モードに入ることが実現されてもよく、これにより、さらに端末装置の消費電力が低減される。
【０００８】
第一の態様と組み合わせ、第一の態様の一つの実施形態では、前記構成情報はさらに前記端末装置が前記省電モードに入ることを示すことに用いられ、前記端末装置が前記非アクティブ状態の下で省電力モードに入るか否かを確定することは、前記端末装置が前記構成情報に基づき、前記非アクティブ状態に入るとともに、前記省電力モードに入ることを含む。
【０００９】
第一の態様及びその上記実施形態と組み合わせ、第一の態様の他の実施形態では、前記方法は、さらに前記端末装置が前記アクセスネットワーク装置へ能力情報を送信することであって、前記能力情報が、前記端末装置が前記省電力モードをサポートするか否かを示すことに用いられ、前記構成情報が前記アクセスネットワーク装置によって前記能力情報に基づいて確定されることを含む。
【００１０】
第一の態様及びその上記実施形態と組み合わせ、第一の態様の他の実施形態では、前記端末装置が前記非アクティブ状態の下で省電力モードに入るか否かを確定することは、前記端末装置が前記非アクティブ状態に入る時に、第一のタイマーをオンにすることと、前記第一のタイマーがタイムアウトした場合、前記端末装置が前記省電力モードに入ることと、を含む。
【００１１】
第一の態様及びその上記実施形態と組み合わせ、第一の態様の他の実施形態では、前記構成情報はさらに前記第一のタイマーの時間長を示すことに用いられる。
【００１２】
第一の態様及びその上記実施形態と組み合わせ、第一の態様の他の実施形態では、前記端末装置が前記非アクティブ状態の下で省電力モードに入るか否かを確定することは、前記端末装置が前記アクセスネットワーク装置から送信された前記構成情報を受信した後、前記端末装置が予め設定された条件に応じて、省電力モードに入ることを確定することと、前記端末装置が前記非アクティブ状態に入りながら前記省電力モードに入ることと、前記端末装置が前記アクセスネットワーク装置へ確認情報を送信することであって、前記確認情報は、前記アクセスネットワーク装置が、前記端末装置が前記非アクティブ状態及び前記省電力モードに入ることを確定するために用いられることと、を含む。
【００１３】
第一の態様及びその上記実施形態と組み合わせ、第一の態様の他の実施形態では、前記端末装置が前記非アクティブ状態の下で省電力モードに入るか否かを確定することは、前記端末装置が前記アクセスネットワーク装置から送信された前記構成情報を受信した後、前記端末装置が非アクティブ状態に入り、予め設定された条件に応じて、前記非アクティブ状態の下で省電力モードに入ることができることを確定することと、前記端末装置が前記アクセスネットワーク装置へ要求情報を送信することであって、前記要求情報は、前記端末装置が前記非アクティブ状態の下で前記省電力モードに入ることを前記アクセスネットワーク装置に要求するために用いられることと、前記端末装置が前記アクセスネットワーク装置によって前記要求情報に基づいて送信された応答情報を受信することであって、前記応答情報は、前記端末装置が前記省電力モードに入るか否かを示すことに用いられることと、前記端末装置が前記応答情報に基づき、前記省電力モードに入るか否かを確定することと、を含む。
【００１４】
第一の態様及びその上記実施形態と組み合わせ、第一の態様の他の実施形態では、前記応答情報は、前記端末装置が前記省電力モードに入らないことを示すことに用いられ、前記応答情報は前記アクセスネットワーク装置の拒絶理由を含む。
【００１５】
第一の態様及びその上記実施形態と組み合わせ、第一の態様の他の実施形態では、前記応答情報は、前記端末装置が第二のタイマーに従って前記省電力モードに入ることを示すことに用いられ、前記端末装置が前記応答情報に基づき、前記省電力モードに入るか否かを確定することは、前記端末装置が前記応答情報を受信し、前記第二のタイマーをオンにすることと、前記第二のタイマーがタイムアウトした場合、前記端末装置が前記省電力モードに入ることと、を含む。
【００１６】
第一の態様及びその上記実施形態と組み合わせ、第一の態様の他の実施形態では、前記応答情報は前記第二のタイマーの時間長を含む。
【００１７】
第一の態様及びその上記実施形態と組み合わせ、第一の態様の他の実施形態では、前記予め設定された条件は以下の条件のうちの少なくとも１つを含む：前記端末装置が前記省電力モードをサポートすることを確定すること、前記端末装置が省電力を目的とする端末装置であること、前記端末装置におけるサービスが、前記端末装置が前記省電力モードに入ることを許可すること、前記端末装置のサービスモードであって、前記端末装置のサービスモードが、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含むこと、及び、前記端末装置の動き情報であって、前記端末装置の動き情報が、前記端末装置の動き状態及び／又は移動レートを示すことに用いられること。
【００１８】
第一の態様及びその上記実施形態と組み合わせ、第一の態様の他の実施形態では、前記方法はさらに、前記端末装置が前記省電力モードに入る時に、第三のタイマーをオンにすることと、前記第三のタイマーがタイムアウトした場合、前記端末装置が前記省電力モードから通信モードに入ることであって、前記通信モードにある前記端末装置の前記無線周波数チャネルがオンになることと、を含む。
【００１９】
第一の態様及びその上記実施形態と組み合わせ、第一の態様の他の実施形態では、前記方法はさらに、前記端末装置が前記アクセスネットワーク装置とネゴシエートして前記第三のタイマーの時間長を確定すること、又は、前記端末装置がコアネットワーク装置とネゴシエートして前記第三のタイマーの時間長を確定することを含む。
【００２０】
第一の態様及びその上記実施形態と組み合わせ、第一の態様の他の実施形態では、前記方法はさらに、前記端末装置がページング領域の更新周期に基づき、前記省電力モードから通信モードに入ることを確定することであって、前記通信モードにある前記端末装置の前記無線周波数チャネルがオンになることを含む。
【００２１】
したがって、本出願の実施形態による端末装置の状態を確定するための方法では、端末装置は、アクセスネットワーク装置から送信された構成情報を受信し、該構成情報に基づいて非アクティブ状態に入り、さらに非アクティブ状態にある場合で省電力モードに入ることができるか否かを確定することができ、例えば、アクセスネットワーク装置の構成によって確定し、又はタイマーに基づいて確定し、又は端末装置は予め設定された条件に基づき、省電力モードに入るように要求し、これにより、非アクティブ状態にある端末装置が省電力モードに入ることが実現されてもよく、さらに端末装置の消費電力が低減される。
【００２２】
第二の態様による端末装置の状態を確定するための方法は、アクセスネットワーク装置が、端末装置が非アクティブ状態の下で省電力モードに入るか否かを確定し、前記省電力モードにある前記端末装置の無線周波数モジュールがオフになることと、前記アクセスネットワーク装置が前記端末装置へ構成情報を送信することであって、前記構成情報は、前記端末装置が前記非アクティブ状態に入ること、及び非アクティブ状態の下で前記省電力モードに入るか否かを示すことに用いられることと、を含む。
【００２３】
したがって、本出願の実施形態による端末装置の状態を確定するための方法では、アクセスネットワーク装置は、該端末装置が非アクティブ状態にある時に省電力モードに入ることができるか否かを確定し、端末装置が非アクティブ状態にある場合で省電力モードに入ることができるか否かを構成情報によって示し、これにより、非アクティブ状態にある端末装置が省電力モードに入ることが実現されてもよく、さらに端末装置の消費電力が低減される。
【００２４】
第二の態様と組み合わせ、第二の態様の一つの実施形態では、前記アクセスネットワーク装置が、端末装置が非アクティブ状態の下で省電力モードに入るか否かを確定する前に、前記方法はさらに、前記アクセスネットワーク装置が前記端末装置又はコアネットワーク装置から送信された能力情報を受信することであって、前記能力情報が、前記端末装置が前記省電力モードをサポートするか否かを示すことに用いられることを含み、前記アクセスネットワーク装置が、端末装置が非アクティブ状態の下で省電力モードに入るか否かを確定することは、前記能力情報が、前記端末装置が前記省電力モードをサポートすることを示す場合、前記アクセスネットワーク装置が、前記端末装置が非アクティブ状態の下で省電力モードに入ることを確定すること、又は、前記能力情報が、前記端末装置が前記省電力モードをサポートしないことを示す場合、前記アクセスネットワーク装置が、前記端末装置が非アクティブ状態の下で省電力モードに入らないことを確定することを含む。
【００２５】
第二の態様及びその上記実施形態と組み合わせ、第二の態様の他の実施形態では、前記アクセスネットワーク装置が、端末装置が非アクティブ状態の下で省電力モードに入るか否かを確定する前に、前記方法はさらに、前記アクセスネットワーク装置がコアネットワーク装置から送信された補助情報を受信することであって、前記補助情報が、前記端末装置が現在前記省電力モードに入ることを許可するか否か、前記端末装置によって処理されているサービスが前記省電力モードに入ることを許可するか否か、前記省電力モードに入るサービスのサービス品質（ＱｏＳ：ｑｕａｌｉｔｙ  ｏｆ  ｓｅｒｖｉｃｅ）要求、前記端末装置のタイプ、前記端末装置のサービスモード及び動き情報のうちの少なくとも１つを含み、前記サービスモードが、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含み、前記動き情報が前記端末装置の動き状態及び／又は移動レートを示すことに用いられることを含み、前記アクセスネットワーク装置が、端末装置が非アクティブ状態の下で省電力モードに入るか否かを確定することは、前記アクセスネットワーク装置が前記補助情報に基づき、端末装置が非アクティブ状態の下で省電力モードに入るか否かを確定することを含む。
【００２６】
第二の態様及びその上記実施形態と組み合わせ、第二の態様の他の実施形態では、前記構成情報は、第一のタイマーの時間長を含み、前記第一のタイマーは前記端末装置が前記非アクティブ状態に入る時に起動するために用いられ、前記第一のタイマーがタイムアウトした時に前記端末装置は前記省電力モードに入る。
【００２７】
第二の態様及びその上記実施形態と組み合わせ、第二の態様の他の実施形態では、前記方法はさらに、前記アクセスネットワーク装置が前記コアネットワーク装置へ第一のタイマーの時間長を送信することであって、前記第一のタイマーの時間長が、前記コアネットワーク装置が前記端末装置へ前記サービスデータを送信する時間を確定するために用いられることを含む。
【００２８】
第二の態様及びその上記実施形態と組み合わせ、第二の態様の他の実施形態では、前記方法はさらに、前記アクセスネットワーク装置が前記コアネットワーク装置から送信されたサービスデータを受信することと、前記アクセスネットワーク装置が前記第一のタイマーに従って、前記端末装置が前記省電力モードに入る第一の開始時点を確定することと、前記アクセスネットワーク装置が前記第一の開始時点の前に、前記端末装置へ前記サービスデータを送信することと、を含む。
【００２９】
第二の態様及びその上記実施形態と組み合わせ、第二の態様の他の実施形態では、前記方法はさらに、前記アクセスネットワーク装置が前記端末装置とネゴシエートして第三のタイマーの時間長を確定することであって、前記第三のタイマーが、前記端末装置が前記省電力モードに入る時に起動するために用いられ、前記第三のタイマーがタイムアウトした場合、前記端末装置が前記省電力モードから通信モードに入り、前記通信モードにある前記端末装置の前記無線周波数チャネルがオンになることを含む。
【００３０】
第二の態様及びその上記実施形態と組み合わせ、第二の態様の他の実施形態では、前記構成情報は前記第三のタイマーの時間長を含む。
【００３１】
第二の態様及びその上記実施形態と組み合わせ、第二の態様の他の実施形態では、前記方法はさらに、前記アクセスネットワーク装置が前記コアネットワーク装置へ第三のタイマーの時間長を送信することであって、前記第三のタイマーの時間長は、前記コアネットワーク装置が前記端末装置へ前記サービスデータを送信する時間を確定するために用いられることを含む。
【００３２】
第二の態様及びその上記実施形態と組み合わせ、第二の態様の他の実施形態では、前記方法はさらに、前記アクセスネットワーク装置が前記コアネットワーク装置から送信されたサービスデータを受信することと、前記アクセスネットワーク装置が前記第三のタイマーに従って、前記端末装置が前記通信モードに入る第三の開始時点を確定することと、前記アクセスネットワーク装置が前記第三の開始時点の後に、前記端末装置へ前記サービスデータを送信することと、を含む。
【００３３】
したがって、本出願の実施形態による端末装置の状態を確定するための方法では、アクセスネットワーク装置は、該端末装置が非アクティブ状態にある時に省電力モードに入ることができるか否かを確定し、端末装置が非アクティブ状態にある場合で省電力モードに入ることができるか否かを構成情報によって示し、これにより、非アクティブ状態にある端末装置が省電力モードに入ることが実現されてもよく、さらに端末装置の消費電力が低減される。
【００３４】
第三の態様による端末装置の状態を確定するための方法は、アクセスネットワーク装置が端末装置へ構成情報を送信することであって、前記構成情報は、前記端末装置が非アクティブ状態に入ることを示すことに用いられることと、前記アクセスネットワーク装置が、前記端末装置が前記非アクティブ状態に入った後に送信した要求情報を受信することであって、前記要求情報は、前記端末装置が前記非アクティブ状態の下で省電力モードに入ることを要求するために用いられ、前記省電力モードにある前記端末装置の無線周波数モジュールがオフになることと、前記アクセスネットワーク装置が前記要求情報及び補助情報に基づき、前記端末装置へ応答情報を送信することであって、前記応答情報は、前記端末装置が前記非アクティブ状態の下で省電力モードに入るか否かを示すことに用いられることと、を含む。
【００３５】
したがって、本出願の実施形態による端末装置の状態を確定するための方法では、アクセスネットワーク装置は、非アクティブ状態に入るように端末装置を構成し、該端末装置が非アクティブ状態に入り且つ省電力モードに入ることができるか否かを確定し、要求情報によって省電力モードに入るように要求し、アクセスネットワーク装置は、端末装置の関連補助情報に基づき、該端末装置が非アクティブ状態にある場合で省電力モードに入ることができるか否かを確定し、そして応答情報によって端末装置に指示し、これにより、非アクティブ状態にある端末装置が省電力モードに入ることが実現されてもよく、さらに端末装置の消費電力が低減される。
【００３６】
第三の態様と組み合わせ、第三の態様の一つの実施形態では、前記応答情報は、前記端末装置が前記省電力モードに入らないことを示すことに用いられ、前記応答情報は前記アクセスネットワーク装置の拒絶理由を含む。
【００３７】
第三の態様及びその上記実施形態と組み合わせ、第三の態様の他の実施形態では、前記応答情報は、前記端末装置が第二のタイマーに従って前記省電力モードに入ることを示すことに用いられ、前記第二のタイマーは前記端末装置が前記応答情報を受信する時に起動するために用いられ、前記第二のタイマーがタイムアウトした場合、前記端末装置は、前記省電力モードに入る。
【００３８】
第三の態様及びその上記実施形態と組み合わせ、第三の態様の他の実施形態では、前記応答情報は前記第二のタイマーの時間長を含む。
【００３９】
第三の態様及びその上記実施形態と組み合わせ、第三の態様の他の実施形態では、前記方法はさらに、前記アクセスネットワーク装置が前記コアネットワーク装置へ第二のタイマーの時間長を送信することであって、前記第二のタイマーの時間長が、前記コアネットワーク装置が前記端末装置へ前記サービスデータを送信する時間を確定するために用いられることを含む。
【００４０】
第三の態様及びその上記実施形態と組み合わせ、第三の態様の他の実施形態では、前記方法はさらに、前記アクセスネットワーク装置が前記コアネットワーク装置から送信されたサービスデータを受信することと、前記アクセスネットワーク装置が前記第二のタイマーに従って、前記端末装置が前記省電力モードに入る第二の開始時点を確定することと、前記アクセスネットワーク装置が前記第二の開始時点の前に、前記端末装置へ前記サービスデータを送信することと、を含む。
【００４１】
第三の態様及びその上記実施形態と組み合わせ、第三の態様の他の実施形態では、前記方法はさらに、前記アクセスネットワーク装置がコアネットワーク装置から送信された前記補助情報を受信することを含む。
【００４２】
第三の態様及びその上記実施形態と組み合わせ、第三の態様の他の実施形態では、前記補助情報は、前記端末装置が現在前記省電力モードに入ることを許可するか否か、前記端末装置によって処理されているサービスが前記省電力モードに入ることを許可するか否か、前記省電力モードに入るサービスのＱｏＳ要求、前記端末装置のタイプ、前記端末装置のサービスモード及び動き情報のうちの少なくとも１つを含み、前記サービスモードが、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含み、前記動き情報が前記端末装置の動き状態及び／又は移動レートを示すことに用いられる。
【００４３】
第三の態様及びその上記実施形態と組み合わせ、第三の態様の他の実施形態では、前記方法はさらに、前記アクセスネットワーク装置が前記端末装置とネゴシエートして第三のタイマーの時間長を確定することであって、前記第三のタイマーが、前記端末装置が前記省電力モードに入る時に起動するために用いられ、前記第三のタイマーがタイムアウトした場合、前記端末装置が前記省電力モードから通信モードに入ることであって、前記通信モードにある前記端末装置の前記無線周波数チャネルがオンになることを含む。
【００４４】
第三の態様及びその上記実施形態と組み合わせ、第三の態様の他の実施形態では、前記構成情報は前記第三のタイマーの時間長を含む。
【００４５】
第三の態様及びその上記実施形態と組み合わせ、第三の態様の他の実施形態では、前記方法はさらに、前記アクセスネットワーク装置が前記コアネットワーク装置へ第三のタイマーの時間長を送信することであって、前記第三のタイマーの時間長が、前記コアネットワーク装置が前記端末装置へサービスデータを送信する時間を確定するために用いられることを含む。
【００４６】
第三の態様及びその上記実施形態と組み合わせ、第三の態様の他の実施形態では、前記方法はさらに、前記アクセスネットワーク装置が前記コアネットワーク装置から送信されたサービスデータを受信することと、前記アクセスネットワーク装置が前記第三のタイマーに従って、前記端末装置が前記通信モードに入る第三の開始時点を確定することと、前記アクセスネットワーク装置が前記第三の開始時点の後に、前記端末装置へ前記サービスデータを送信することと、を含む。
【００４７】
したがって、本出願の実施形態による端末装置の状態を確定するための方法では、アクセスネットワーク装置は、非アクティブ状態に入るように端末装置を構成し、該端末装置が非アクティブ状態に入り且つ省電力モードに入ることができるか否かを確定し、要求情報によって省電力モードに入るように要求し、アクセスネットワーク装置は、端末装置の関連補助情報に基づき、該端末装置が非アクティブ状態にある場合で省電力モードに入ることができるか否かを確定し、そして応答情報によって端末装置に指示し、これにより、非アクティブ状態にある端末装置が省電力モードに入ることが実現されてもよく、さらに端末装置の消費電力が低減される。
【００４８】
第四の態様による端末装置の状態を確定するための方法は、コアネットワーク装置がコントロールプレーンエンティティを介して端末装置のタイマー情報を確定することであって、前記タイマー情報が第二のタイマーの時間長及び／又は第三のタイマーの時間長を含み、前記第二のタイマーの時間長が、前記端末装置が前記第二のタイマーがタイムアウトした時に通信モードから省電力モードに入るために用いられ、前記第三のタイマーの時間長が、前記端末装置が前記第三のタイマーがタイムアウトした時に前記省電力モードから前記通信モードに入るために用いられ、前記省電力モードにある前記端末装置の無線周波数モジュールがオフになり、前記通信モードにある前記端末装置の前記無線周波数チャネルがオンになることと、前記コアネットワーク装置が前記タイマー情報に基づき、ユーザプレーンエンティティを介して前記端末装置へサービスデータを送信することと、を含む。
【００４９】
第四の態様と組み合わせ、第四の態様の一つの実施形態では、前記コアネットワーク装置がコントロールプレーンエンティティを介して端末装置のタイマー情報を確定することは、前記コアネットワーク装置が前記コントロールプレーンエンティティを介して前記端末装置とネゴシエートして前記タイマー情報を確定することを含む。
【００５０】
第四の態様及びその上記実施形態と組み合わせ、第四の態様の他の実施形態では、前記コアネットワーク装置がコントロールプレーンエンティティを介して端末装置のタイマー情報を確定することは、前記コアネットワーク装置が前記コントロールプレーンエンティティを介してアクセスネットワーク装置からタイマー情報を受信することであって、前記タイマー情報が前記アクセスネットワーク装置と端末装置によってネゴシエートして確定されることを含む。
【００５１】
第四の態様及びその上記実施形態と組み合わせ、第四の態様の他の実施形態では、前記方法はさらに、前記コアネットワーク装置がアクセスネットワーク装置へ補助情報を送信することであって、前記補助情報は、前記アクセスネットワーク装置が、前記端末装置が前記非アクティブ状態の下で省電力モードに入るか否かを確定するために用いられることを含む。
【００５２】
第四の態様及びその上記実施形態と組み合わせ、第四の態様の他の実施形態では、前記補助情報は、前記端末装置が現在前記省電力モードに入ることを許可するか否か、前記端末装置によって処理されているサービスが前記省電力モードに入ることを許可するか否か、前記省電力モードに入るサービスのサービス品質（ＱｏＳ）要求、及び前記端末装置のタイプ、前記端末装置のサービスモード及び動き情報のうちの少なくとも１つを含み、前記サービスモードが、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含み、前記動き情報が前記端末装置の動き状態及び／又は移動レートを示すことに用いられる。
【００５３】
したがって、本出願の実施形態による端末装置の状態を確定するための方法では、端末装置が非アクティブ状態にある時に、さらに省電力モードにあることができるため、コアネットワーク装置は、省電力モード又は通信モードに入ることに関する該端末装置のタイマー情報を確定し、さらに該端末装置が省電力モードにある時間を確定し、該時間に従って、端末装置が通信モードにある時に端末装置へサービスデータを送信し、端末装置が省電力モードにある時に、該サービスデータを一時的にキャッシュすることを、実現し、これにより、サービスデータ伝送に影響を与えることなく、端末装置の消費電力が低減される。
【００５４】
第五の態様による端末装置の状態を確定するための方法は、コアネットワーク装置がコントロールプレーンエンティティを介して端末装置とネゴシエートしてタイマー情報を確定することであって、前記タイマー情報が第二のタイマーの時間長及び／又は第三のタイマーの時間長を含み、前記第二のタイマーの時間長が、前記端末装置が前記第二のタイマーがタイムアウトした時に通信モードから省電力モードに入るために用いられ、前記第三のタイマーの時間長が、前記端末装置が前記第三のタイマーがタイムアウトした時に前記省電力モードから前記通信モードに入るために用いられ、前記省電力モードにある前記端末装置の無線周波数モジュールがオフになり、前記通信モードにある前記端末装置の前記無線周波数チャネルがオンになることと、前記コアネットワーク装置がコントロールプレーンエンティティを介してアクセスネットワーク装置へ前記タイマー情報を送信することであって、前記タイマー情報が、前記アクセスネットワーク装置が前記端末装置が前記通信モードにある時間を確定するために用いられることと、前記コアネットワーク装置がユーザプレーンエンティティを介して前記アクセスネットワーク装置へサービスデータを送信することであって、前記サービスデータが、前記アクセスネットワーク装置が前記時間内で前記端末装置へ前記サービスデータを送信するために用いられることと、を含む。
【００５５】
第五の態様と組み合わせ、第五の態様の実施形態では、前記方法はさらに、前記コアネットワーク装置がアクセスネットワーク装置へ補助情報を送信することであって、前記補助情報は、前記アクセスネットワーク装置が、前記端末装置が前記非アクティブ状態の下で省電力モードに入るか否かを確定するために用いられることを含む。
【００５６】
第五の態様及びその上記実施形態と組み合わせ、第五の態様の他の実施形態では、前記補助情報は、前記端末装置が現在前記省電力モードに入ることを許可するか否か、前記端末装置によって処理されているサービスが前記省電力モードに入ることを許可するか否か、前記省電力モードに入るサービスのサービス品質（ＱｏＳ）要求、及び前記端末装置のタイプ、前記端末装置のサービスモード及び動き情報のうちの少なくとも１つを含み、前記サービスモードが、前記端末装置への前記サービスの到達の時間間隔、前記端末装置への前記サービスの到達の頻度、前記端末装置における前記サービスの継続時間、前記サービスにおけるデータパケットのデータ量及び前記データパケットの数のうちの少なくとも１つを含み、前記動き情報が前記端末装置の動き状態及び／又は移動レートを示すことに用いられる。
【００５７】
したがって、本出願の実施形態による端末装置の状態を確定するための方法では、端末装置が非アクティブ状態にある時に、さらに省電力モードにあることができるため、コアネットワーク装置は、省電力モード又は通信モードに入ることに関する該端末装置のタイマー情報を確定し、アクセスネットワーク装置へ該タイマー情報を送信し、これにより、アクセスネットワーク装置は、該タイマー情報に基づいて該端末装置が省電力モードにある時間を確定し、該時間に従って、端末装置が通信モードにある時に端末装置へサービスデータを送信し、端末装置が省電力モードにある時に、該サービスデータを一時的にキャッシュすることを、実現することができ、これにより、サービスデータ伝送に影響を与えることなく、端末装置の消費電力が低減される。
【００５８】
第六の態様による端末装置の状態を確定するための方法は、端末装置がアクセスネットワーク装置から送信された構成情報を受信することであって、前記構成情報が、前記端末装置が非アクティブ状態に入ることを示すことに用いられることと、前記端末装置が前記非アクティブ状態の下で省電力モードに入るか否かを確定することであって、前記省電力モードにある前記端末装置が拡張周期の不連続受信（ＤＲＸ）を採用することと、を含む。
【００５９】
第七の態様による端末装置の状態を確定するための方法は、アクセスネットワーク装置が端末装置へ構成情報を受信することであって、前記構成情報が、前記端末装置が非アクティブ状態に入ることを示すことに用いられることと、前記アクセスネットワーク装置が、前記端末装置が非アクティブ状態の下で省電力モードに入るか否かを確定することであって、前記省電力モードにある前記端末装置が拡張周期の不連続受信（ＤＲＸ）を採用することと、を含む。
【００６０】
第八の態様による端末装置の状態を確定するための方法は、コアネットワーク装置が端末装置とネゴシエートして前記端末装置が拡張周期の不連続受信（ＤＲＸ）を採用する時の拡張周期を確定することであって、前記拡張周期が、前記端末装置が非アクティブ状態の下で省電力モードに入るか否かを確定するために用いられ、前記省電力モードにある前記端末装置が前記拡張周期の不連続受信（ＤＲＸ）を採用することを含む。
【００６１】
第九の態様による端末装置は、上記第一の態様又はその各実施形態における方法を実行することに用いられる。具体的には、該端末装置は、上記第一の態様又は第六の態様又はその各実施形態における方法を実行するための機能モジュールを備える。
【００６２】
第十の態様によるアクセスネットワーク装置は、プロセッサとメモリを備える。該メモリはコンピュータプログラムを記憶するように構成され、該プロセッサは、該メモリに記憶されたコンピュータプログラムを呼び出して実行し、上記第二の態様又はその各実施形態における方法を実行し、又は上記第三の態様又は第七の態様又はその各実施形態における方法を実行するように構成される。
【００６３】
第十一の態様によるコアネットワーク装置は、プロセッサとメモリを備える。該メモリはコンピュータプログラムを記憶するように構成され、該プロセッサは、該メモリに記憶されたコンピュータプログラムを呼び出して実行し、上記第四の態様又はその各実施形態における方法を実行し、又は上記第五の態様又は第八の態様又はその各実施形態における方法を実行するように構成される。
【００６４】
第十二の態様によるチップは、上記第一の態様から第八の態様のいずれかの態様又はその各実施形態における方法を実現することに用いられる。具体的には、該チップは、メモリからコンピュータプログラムを呼び出して実行するように構成されるプロセッサを備え、該プロセッサにより、該チップが取り付けられた装置が上記第一の態様から第八の態様のいずれかの態様又はその各実施形態における方法を実行する。
【００６５】
第十三の態様によるコンピュータ可読媒体は、コンピュータプログラムを記憶することに用いられ、前記コンピュータプログラムにより、コンピュータが上記第一の態様から第八の態様のいずれかの態様又はその各実施形態における方法を実行する。
【００６６】
第十四の態様によるコンピュータプログラム製品は、コンピュータプログラム命令を含み、前記コンピュータプログラム命令により、コンピュータが上記第一の態様から第五の態様のいずれかの態様又はその各実施形態における方法を実行する。
【００６７】
第十五の態様によるコンピュータプログラムは、コンピュータで実行される場合、コンピュータが上記第一の態様から第八の態様のいずれかの態様又はその各実施形態における方法を実行する。
【００６８】
第十六の態様による通信システムは、端末装置、アクセスネットワーク装置とコアネットワーク装置を備え、ここで、該端末装置が上記第一の態様又は第六の態様又はその各実施形態における方法を実行するように構成され、該アクセスネットワーク装置が上記第二の態様から第三の態様又は第七の態様のいずれかの態様又はその各実施形態における方法を実行するように構成され、該コアネットワーク装置が上記第四の態様から第五の態様又は第八の態様のいずれかの態様又はその各実施形態における方法を実行するように構成される。
【図面の簡単な説明】
【００６９】
【図１】本出願の実施形態による端末装置の状態を確定するための方法の概略フローチャートである。
【図２】本出願の他の実施形態による端末装置の状態を確定するための方法の概略フローチャートである。
【図３】本出願のさらなる他の実施形態による端末装置の状態を確定するための方法の概略フローチャートである。
【図４】本出願のさらなる他の実施形態による端末装置の状態を確定するための方法の概略フローチャートである。
【図５】本出願のさらなる他の実施形態による端末装置の状態を確定するための方法の概略フローチャートである。
【図６】本出願の実施形態による端末装置の概略ブロック図である。
【図７】本出願の実施形態によるアクセスネットワーク装置の概略ブロック図である。
【図８】本出願の実施形態によるアクセスネットワーク装置の他の概略ブロック図である。
【図９】本出願の実施形態によるコアネットワーク装置の概略ブロック図である。
【図１０】本出願の実施形態によるコアネットワーク装置の他の概略ブロック図である。
【図１１】本出願の実施形態による通信装置の概略ブロック図である。
【図１２】本出願の実施形態によるチップの概略ブロック図である。
【図１３】本出願の実施形態による通信システムの概略ブロック図である。
【図１４】本出願のさらなる他の実施形態による端末装置の状態を確定するための方法の概略フローチャートである。
【図１５】本出願のさらなる他の実施形態による端末装置の状態を確定するための方法の概略フローチャートである。
【図１６】本出願のさらなる他の実施形態による端末装置の状態を確定するための方法の概略フローチャートである。
【図１７】本出願の実施形態による通信装置の概略ブロック図である。
【発明を実施するための形態】
【００７０】
以下に図面と組み合わせながら本出願の実施形態における技術的解決策を説明する。
【００７１】
本出願の実施形態の技術的解決策は、様々な通信システム、例えばグローバルモバイル通信（ＧＳＭＣ：ｇｌｏｂａｌ  ｓｙｓｔｅｍ  ｏｆ  ｍｏｂｉｌｅ  ｃｏｍｍｕｎｉｃａｔｉｏｎ）システム、符号分割多元アクセス（ＣＤＭＡ：ｃｏｄｅ  ｄｉｖｉｓｉｏｎ  ｍｕｌｔｉｐｌｅ  ａｃｃｅｓｓ）システム、帯域符号分割多元接続（ＷＣＤＭＡ：ｗｉｄｅｂａｎｄ  ｃｏｄｅ  ｄｉｖｉｓｉｏｎ  ｍｕｌｔｉｐｌｅ  ａｃｃｅｓｓ）システム、汎用パケット無線サービス（ＧＰＲＳ：ｇｅｎｅｒａｌ  ｐａｃｋｅｔ  ｒａｄｉｏ  ｓｅｒｖｉｃｅ）、長期進化型（ＬＴＥ：ｌｏｎｇ  ｔｅｒｍ  ｅｖｏｌｕｔｉｏｎ）システム、ＬＴＥ周波数分割複信（ＦＤＤ：ｆｒｅｑｕｅｎｃｙ  ｄｉｖｉｓｉｏｎ  ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：ｕｎｉｖｅｒｓａｌ  ｍｏｂｉｌｅ  ｔｅｌｅｃｏｍｍｕｎｉｃａｔｉｏｎ  ｓｙｓｔｅｍ）、グローバル相互接続マイクロ波アクセス（ＷｉＭＡＸ：ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）通信システム、将来の第５世代（５Ｇ：５ｔｈ  ｇｅｎｅｒａｔｉｏｎ）システム又は新しい無線（ＮＲ：ｎｅｗ  ｒａｄｉｏ）などに応用されてもよい。
【００７２】
本出願の実施形態における端末装置はユーザ装置、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。端末装置はセルラー電話、コードレス電話、セッション開始プロトコル（ＳＩＰ：ｓｅｓｓｉｏｎ  ｉｎｉｔｉａｔｉｏｎ  ｐｒｏｔｏｃｏｌ）電話、無線ローカルループ（ＷＬＬ：ｗｉｒｅｌｅｓｓ  ｌｏｃａｌ  ｌｏｏｐ）ステーション、パーソナルデジタル処理（ＰＤＡ：ｐｅｒｓｏｎａｌ  ｄｉｇｉｔａｌ  ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：ｐｕｂｌｉｃ  ｌａｎｄ  ｍｏｂｉｌｅ  ｎｅｔｗｏｒｋ）における端末装置などであってもよく、本出願の実施形態はこれに限定されない。
【００７３】
本出願の実施形態におけるアクセスネットワーク装置は、端末装置と通信するための装置であってもよく、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：ｅｖｏｌｕｔｉｏｎａｌ  Ｎｏｄｅ  Ｂ）であってもよく、又は該アクセスネットワーク装置は中継局、アクセスポイント、車載デバイス、ウェアラブルデバイス及び将来の５Ｇネットワークにおけるアクセスネットワーク装置又は将来の進化したＰＬＭＮネットワークにおけるアクセスネットワーク装置などであってもよい。
【００７４】
本出願の実施形態におけるコアネットワーク装置はモバイル管理エンティティ（ＭＭＥ：ｍｏｂｉｌｉｔｙ  ｍａｎａｇｅｍｅｎｔ  ｅｎｔｉｔｙ）であってもよく、本出願の実施形態はこれに限定されない。
【００７５】
図１は本出願の実施形態による端末装置の状態を確定するための方法１００の概略フローチャートである。該方法１００は端末装置によって実行されてもよい。図１に示すように、該方法１００は、Ｓ１１０とＳ１２０を含む。Ｓ１１０において、端末装置がアクセスネットワーク装置から送信された構成情報を受信し、該構成情報が端末装置が非アクティブ状態に入ることを示すことに用いられる。Ｓ１２０において、該端末装置が非アクティブ状態の下で省電力モードに入るか否かを確定し、該省電力モードにある該端末装置の無線周波数モジュールがオフになる。
【００７６】
本出願の実施形態では、端末装置は受信されたアクセスネットワーク装置から送信された該構成情報に基づき、非アクティブ状態に入る。該端末装置が非アクティブ状態にある場合、端末装置はさらに省電力モードに入るか否かを確定することができ、ここで、省電力モードにある端末装置が無線周波数モジュールをオフにし、これにより、非アクティブ状態にある端末装置は省電力モードに入ってさらに消費電力を低減させる。具体的には、省電力モードにある端末装置は、無線周波数モードをオフにすると、関連する動作を実行できなく、例えばセル選択、セル再選択、セル測定、ページング及びシステムメッセージ受信などを実行できないが、本出願の実施形態はこれに限定されない。
【００７７】
理解すべきこととして、端末装置は、非アクティブ状態に入る場合、様々な方式によって省電力モードに入るか否かを確定することができ、例えば、端末装置はアクセスネットワーク装置の構成に従って確定することができ、又は、端末装置はさらに予め設定されたルールに従って確定することができ、例えばタイマーで計時することで確定することができ、又は、端末装置は予め設定された条件に応じて省電力モードに入ることができるか否かを判定することができ、例えば省電力モードをサポートする端末装置の能力又はそのサービス要求に従って省電力モードに入ることができるか否かを判定することができるが、本出願の実施形態はこれに限定されない。
【００７８】
選択可能に、一つの実施形態として、該端末装置が該非アクティブ状態にある場合で省電力モードに入るか否かを確定することは、該端末装置がアクセスネットワーク装置から送信された、該端末装置が省電力モードに入ることを示すための構成情報を受信し、該構成情報に基づき、非アクティブ状態に入るとともに、該省電力モードに入ることを含む。具体的には、アクセスネットワーク装置は、非構成情報により、非アクティブ状態に入るように端末装置を構成するとともに、省電力モードに入るように該端末装置を構成することができ、このようにして端末装置は受信された構成情報に基づき、非アクティブ状態に入るとともに、省電力モードに入る。
【００７９】
選択可能に、端末装置が該構成情報を受信する前に、該端末装置は、さらにアクセスネットワーク装置へ能力情報を送信することができ、このようにして該アクセスネットワーク装置は能力情報により、該端末装置が非アクティブ状態の下で省電力モードに入るか否かを確定することができ、該能力情報が、該端末装置が省電力モードをサポートするか否かを示すことに用いられる。該能力情報が、該端末装置が省電力モードをサポートすることを示す場合、アクセスネットワーク装置は、該能力情報に応じて、構成情報により、非アクティブ状態の下で省電力モードに入るように端末装置に指示することができる。
【００８０】
選択可能に、端末装置が該構成情報を受信する前に、さらにコアネットワーク装置によってアクセスネットワーク装置へ該能力情報を送信することができ、該能力情報が、該端末装置が省電力モードをサポートするか否かを示すことに用いられ、これにより、アクセスネットワーク装置は該能力情報に応じて、該端末装置が非アクティブ状態の下で省電力モードに入るか否かを確定する。該能力情報が、該端末装置が省電力モードをサポートすることを示す場合、アクセスネットワーク装置は、該能力情報に応じて、構成情報により、非アクティブ状態の下で省電力モードに入るように端末装置に指示することができる。
【００８１】
選択可能に、端末装置が該構成情報を受信する前に、さらにコアネットワーク装置によってアクセスネットワーク装置へ補助情報を送信することができ、このようにしてアクセスネットワーク装置は該補助情報に応じて、該端末装置が非アクティブ状態の下で省電力モードに入るか否かを確定する。ここで、該補助情報は、該端末装置が現在該省電力モードに入ることが許可されるか否か、該端末装置によって処理されているサービスが該省電力モードに入ることを許可するか否か、該省電力モードに入るサービスのＱｏＳ要求、該端末装置のタイプ、該端末装置のサービスモード及び該端末装置の動き情報のうちの少なくとも１つを含むことができる。
【００８２】
具体的には、該補助情報は、該端末装置が現在省電力モードに入ることが許可されるか否かを含むことができる。例えば、コアネットワーク装置は、端末装置が現在省電力モードに入ることが許可されるか否かを確定し、該補助情報を介してアクセスネットワーク装置に通知し、該補助情報が、端末装置が現在許可されることを示す場合、アクセスネットワーク装置は、端末装置が非アクティブ状態の下で省電力モードに入ることを確定し、構成情報により端末装置を構成することができ、該補助情報が、端末装置が現在許可されないことを示す場合、アクセスネットワーク装置は、端末装置が非アクティブ状態の下で省電力モードに入らないことを確定することができ、構成情報により、非アクティブ状態のみに入るように端末装置を構成することができる。
【００８３】
ここで、コアネットワーク装置は該端末装置によって現在処理されているサービスのＱｏＳ要求、例えば遅延要求に応じて、該端末装置が現在省電力モードに入ることが許可されるか否かを確定することができるが、本出願の実施形態はこれに限定されない。
【００８４】
選択可能に、該補助情報は、さらに、該端末装置によって現在処理されているサービスが該省電力モードに入ることを許可するか否かを含むことができる。例えば、コアネットワーク装置は、端末装置によって現在処理されているサービスが省電力モードに入ることを許可するか否かを確定し、該補助情報を介してアクセスネットワーク装置に通知し、
該補助情報が、端末装置によって現在処理されているサービスが許可することを示す場合、アクセスネットワーク装置は、端末装置が非アクティブ状態の下で省電力モードに入ることを確定し、構成情報により端末装置を構成することができ、該補助情報が、端末装置によって現在処理されているサービスが許可しないことを示す場合、アクセスネットワーク装置は、端末装置が非アクティブ状態の下で省電力モードに入らないことを確定することができ、構成情報により、非アクティブ状態のみに入るように端末装置を構成することができる。
【００８５】
ここで、コアネットワーク装置は該端末装置によって現在処理されているサービスのＱｏＳ要求、例えば遅延要求に応じて、該端末装置によって現在処理されているサービスが、端末装置が省電力モードに入ることを許可するか否かを確定することができるが、本出願の実施形態はこれに限定されない。
【００８６】
選択可能に、該補助情報はさらに該端末装置における該省電力モードに入るサービスのＱｏＳ要求を含むことができる。例えば、コアネットワーク装置は、該端末装置が省電力モードに入ることができるサービスのＱｏＳ要求、例えば遅延要求などを確定し、それが、端末装置が省電力モードに入ることを許可するか否かを確定し、該補助情報を介してアクセスネットワーク装置に通知し、該補助情報が、端末装置のサービスＱｏＳ要求が、端末装置が省電力モードに入ることを許可することを示す場合、アクセスネットワーク装置は、端末装置が非アクティブ状態で省電力モードに入ることを確定し、構成情報により端末装置を構成することができ、該補助情報が、端末装置のサービスのＱｏＳ要求が端末装置が省電力モードに入ることを許可しないことを示す場合、アクセスネットワーク装置は、端末装置が非アクティブ状態で省電力モードに入らないことを確定することができ、構成情報により、非アクティブ状態のみに入るように端末装置を構成することができる。
【００８７】
選択可能に、該補助情報はさらに該端末装置のタイプを含むことができる。具体的には、コアネットワーク装置は、該端末装置のタイプを確定し、例えば、該端末装置が省電力を目的する端末装置であるか否かを確定し、又は、該端末装置のタイプがモノのインターネット（ＩｏＴ：ｉｎｔｅｒｎｅｔ  ｏｆ  ｔｈｉｎｇｓ）端末装置であることを確定することができ、該ＩｏＴ端末装置は省電力モードに入ることができる。コアネットワーク装置は補助情報を介して該端末装置のタイプを該アクセスネットワーク装置に通知し、アクセスネットワーク装置が該端末装置のタイプに応じて、該端末装置が省電力を目的とする端末装置であることを確定し、又は、該端末装置がＩｏＴ端末装置であることを確定する場合、構成情報により、非アクティブ状態の下で省電力モードに入るように端末装置を構成し、アクセスネットワーク装置が該端末装置のタイプに応じて、該端末装置が省電力モードに入ることができないことを確定する場合、構成情報により、非アクティブ状態のみに入るように端末装置を構成する。
【００８８】
選択可能に、該補助情報はさらに該端末装置のサービスモードを含むことができ、ここで、該サービスモードが、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含むことができる。例えば、該端末装置のサービスモードにおける該端末装置への該サービスの到達の時間間隔は、いくつかのレベルで表されてもよく、例えば異なる時間間隔に応じて、高頻度、中頻度、低頻度に分けられてもよい。具体的には、コアネットワーク装置は該端末装置のサービスモードを確定し、例えば、端末装置への該サービスの到達の時間間隔、データパケットのデータ量及び数を確定し、該サービスモードを含む補助情報をアクセスネットワーク装置に送信することができ、アクセスネットワーク装置が補助情報における該サービスモードに応じて、端末装置によって現在処理されているサービスが多く且つ頻繁であることを確定する場合、該端末装置が省電力モードに入ることができないことを確定し、構成情報により、非アクティブ状態のみに入るように端末装置を構成し、アクセスネットワーク装置が該サービスモードに応じて、端末装置によって現在処理される必要があるサービスがなく又は少ないことを確定する場合、該端末装置が省電力モードに入ることができることを確定し、構成情報により、非アクティブ状態に入るとともに、非アクティブ状態に入るように端末装置を構成する。
【００８９】
選択可能に、該補助情報はさらに該端末装置の動き情報を含むことができ、ここで、該動き情報が該端末装置の動き状態及び／又は移動レートを示すことに用いられる。例えば、該端末装置の動き状態は、移動と静止に分けられてもよく、ここで、移動がさらにレートなどに応じて高速移動と低速移動などの異なる状態に分けられてもよい。具体的には、コアネットワーク装置は該端末装置の動き情報を確定し、例えば、該端末装置の動き状態を確定し、該動き状態を含む補助情報をアクセスネットワーク装置に送信することができ、アクセスネットワーク装置が補助情報における該動き状態に応じて、端末装置が現在移動状態にあることを確定する場合、該端末装置が省電力モードに入ることができないことを確定し、構成情報により、非アクティブ状態のみに入るように端末装置を構成し、アクセスネットワーク装置が該動き状態に応じて、端末装置が現在静止状態にあることを確定する場合、該端末装置が省電力モードに入ることができることを確定し、構成情報により、非アクティブ状態に入るとともに、非アクティブ状態に入るように端末装置を構成する。
【００９０】
選択可能に、一つの実施形態として、該端末装置が該非アクティブ状態の下で省電力モードに入るか否かを確定することは、該端末装置が該非アクティブ状態に入る時に、第一のタイマーをオンにすることと、該第一のタイマーがタイムアウトした場合、該端末装置が該省電力モードに入ることと、を含むことができる。具体的には、端末装置は受信された構成情報に基づき、非アクティブ状態に入ることを確定し、非アクティブ状態に入る時に第一のタイマーをオンにし、第一のタイマーがタイムアウトした場合、該端末装置は再度省電力モードに入る。ここで、該第一のタイマーの時間長はアクセスネットワーク装置によって端末装置に構成されてもよく、又は予め設定されてもよく、例えばプロトコルに基づいて定められてもよいが、本出願の実施形態はこれに限定されない。
【００９１】
選択可能に、該第一のタイマーの時間長はアクセスネットワーク装置によって端末装置に構成されてもよく、例えば、該アクセスネットワーク装置によって端末装置に送信される、端末装置が非アクティブ状態に入ることを示すための構成情報には該第一のタイマーの時間長が含まれてもよい。具体的には、アクセスネットワーク装置は端末装置が非アクティブ状態の下で省電力モードに入るか否かを確定することができ、例えば、アクセスネットワーク装置は端末装置又はコアネットワーク装置から送信された能力情報、又はコアネットワーク装置から送信された補助情報に基づき、該端末装置が非アクティブ状態の下で省電力モードに入るか否かを確定し、ここで、該能力情報が、該端末装置が省電力モードをサポートするか否かを示すことに用いられ、該補助情報が、該端末装置が現在該省電力モードに入ることが許可されるか否か、該端末装置によって処理されているサービスが該省電力モードに入ることを許可するか否か、該省電力モードに入るサービスのＱｏＳ要求、該端末装置のタイプ、該端末装置のサービスモード及び動き情報のうちの少なくとも１つを含むことができる。
【００９２】
理解すべきこととして、アクセスネットワーク装置は、端末装置に対して第一のタイマーの時間長を構成し、さらにコアネットワーク装置へ該第一のタイマーの時間長を送信することができ、例えば、コアネットワーク装置は、該第一のタイマーの時間長に従って、端末装置へサービスデータを送信する時間を確定するように、コントロールプレーンエンティティを介して該第一のタイマーの時間長を受信することができる。具体的には、該コアネットワーク装置は、該第一のタイマーの時間長に従って、端末装置が省電力モードにある時間を確定することができ、例えば、端末装置が省電力モードに入る開始時点を確定し、これにより、該コアネットワーク装置のユーザプレーンエンティティは、該時点の前に、端末装置へサービスデータを送信し、即ち該端末装置がまだ通信モードにあるが省電力モードに入らない時に、サービスデータを送信し、該端末装置が省電力モードに入った後、コアネットワーク装置は、サービスデータを送信しなく、例えば、該サービスデータを先にキャッシュすることができる。
【００９３】
又は、該アクセスネットワーク装置は、該第一のタイマーの時間長に従って、端末装置が省電力モードに入る第一の開始時点を確定し、これにより、該コアネットワーク装置は、アクセスネットワーク装置を介して端末装置へサービスデータを送信し、アクセスネットワーク装置は、該第一の開始時点の前に、端末装置へサービスデータを送信し、即ち該端末装置がまだ通信モードにあるが省電力モードに入らない時に、サービスデータを送信し、該端末装置が省電力モードに入った後、アクセスネットワーク装置は、サービスデータを一時的に送信せず、サービスデータを先にキャッシュすることができる。
【００９４】
選択可能に、一つの実施形態として、該端末装置が該非アクティブ状態の下で省電力モードに入るか否かを確定することは、さらに、該端末装置が該アクセスネットワーク装置から送信された該構成情報を受信した後、該端末装置が予め設定された条件に応じて、省電力モードに入ることを確定することと、該端末装置が非アクティブ状態に入りながら前記省電力モードに入ることと、該端末装置が該アクセスネットワーク装置へ確認情報を送信し、該確認情報は、アクセスネットワーク装置が、該端末装置が該非アクティブ状態及び該省電力モードに入ることを確定するために用いられることと、を含むことができる。
【００９５】
理解すべきこととして、端末装置は構成情報に基づいて非アクティブ状態に入ることを確定し、さらに予め設定された条件に応じて、端末装置が予め設定された条件を満たす時に端末装置が非アクティブ状態の下で省電力モードに入ることを確定することができ、ここで、該予め設定された条件が、該端末装置が該省電力モードをサポートすることを確定すること、該端末装置が省電力を目的とする端末装置であること、該端末装置におけるサービスが、該端末装置が該省電力モードに入ることを許可すること、該端末装置のサービスモード及び該端末装置の動き情報のうちの少なくとも１つを含むことができる。
【００９６】
選択可能に、該予め設定された条件は、該端末装置が該省電力モードをサポートすることを確定することを含むことができ、該端末装置が該予め設定された条件を満たしていることを確定し、即ち端末装置が省電力モードをサポートする場合、省電力モードに入ることができることを確定し、そうでない場合は省電力モードに入ることができない。
【００９７】
選択可能に、該予め設定された条件は、さらに、該端末装置が省電力を目的とする端末装置であることを含むことができ、該端末装置が該予め設定された条件を満たしていることを確定し、即ち端末装置が、それ自体が省電力を目的とする端末装置であることを確定する場合、省電力モードに入ることができることを確定し、そうでない場合は省電力モードに入ることができない。
【００９８】
選択可能に、該予め設定された条件は、該端末装置におけるサービスが、該端末装置が該省電力モードに入ることを許可することを含むことができ、該端末装置が該予め設定された条件を満たしていることを確定し、即ち端末装置がそれ自体のサービスが省電力モードに入ることを許可することを確定する場合、例えば該サービスのＱｏＳ要求を満たし、該ＱｏＳ要求が遅延要求であってもよい場合、端末装置は省電力モードに入ることができることを確定し、そうでない場合は省電力モードに入ることができないことを確定する。
【００９９】
選択可能に、該予め設定された条件は、さらに、該端末装置がそれ自体のサービスモードに応じて、省電力モードに入るか否かを確定することを含むことができ、ここで、該サービスモードは、該端末装置への該サービスの到達の時間間隔、該端末装置への該サービスの到達の時間間隔、該端末装置における該サービスの継続時間、該サービスにおけるデータパケットのデータ量及び該データパケットの数のうちの少なくとも１つを含むことができる。例えば、該端末装置のサービスモードにおける該端末装置への該サービスの到達の時間間隔は、いくつかのレベルで表されてもよく、例えば異なる時間間隔に応じて、高頻度、中頻度、低頻度に分けられてもよく、該予め設定された条件は、該端末装置への該サービスの到達の時間間隔が高頻度である場合、該端末装置が省電力モードに入ることができないことを確定すること、該端末装置への該サービスの到達の時間間隔が中頻度又は低頻度である場合、該端末装置が省電力モードに入ることができることを確定することであってもよい。また、例えば、該端末装置のサービスモードは、該端末装置へのサービスの到達の時間間隔、データパケットのデータ量及び数を含むことができ、該予め設定された条件は、端末装置によって処理されているサービスが大きく且つ頻繁である場合、該端末装置が省電力モードに入ることができないことを確定すること、端末装置によって現在処理される必要があるサービスがなく又は少ない場合、該端末装置が省電力モードに入ることができることを確定することであってもよい。
【０１００】
選択可能に、該予め設定された条件は、さらに該端末装置がそれ自体の動き情報に従って、省電力モードに入るか否かを確定することを含むことができ、ここで、該動き情報が該端末装置の動き状態及び／又は移動レートを示すことに用いられる。例えば、該端末装置の動き状態は、移動と静止に分けられてもよく、ここで、移動がさらにレートなどに応じて高速移動と低速移動などの異なる状態に分けられてもよく、該予め設定された条件は、該端末装置が現在移動状態にある場合、該端末装置が省電力モードに入ることができないことを確定すること、端末装置が現在静止状態にあり、又は移動速度が遅い場合、該端末装置が省電力モードに入ることができることを確定することであってもよい。
【０１０１】
理解すべきこととして、該端末装置が該予め設定された条件に応じて、非アクティブ状態の下で省電力モードに入ることができることを確定する場合、該端末装置は、非アクティブ状態に入るとともに、省電力モードに入り、そしてアクセスネットワーク装置へ確認情報を送信し、該確認情報は、該アクセスネットワーク装置が、該端末装置が非アクティブ状態及び省電力モードに入ることを確定するために用いられる。
【０１０２】
選択可能に、一つの実施形態として、該端末装置が該非アクティブ状態の下で省電力モードに入るか否かを確定することは、該端末装置が該アクセスネットワーク装置から送信された該構成情報を受信した後、該端末装置が非アクティブ状態に入り、予め設定された条件に応じて、非アクティブ状態の下で省電力モードに入ることができることを確定することと、該端末装置が該アクセスネットワーク装置へ要求情報を送信し、該要求情報が、該端末装置が非アクティブ状態の下で該省電力モードに入ることを該アクセスネットワーク装置に要求するために用いられることと、該端末装置が該アクセスネットワーク装置によって該要求情報に基づいて送信された応答情報を受信し、該応答情報が、該端末装置が非アクティブ状態の下で該省電力モードに入るか否かを示すことに用いられることと、該端末装置が該応答情報に基づき、非アクティブ状態の下で該省電力モードに入るか否かを確定することと、を含む。
【０１０３】
理解すべきこととして、端末装置は構成情報に基づいて非アクティブ状態に入ることを確定し、さらに予め設定された条件に応じて非アクティブ状態に入ることを確定することができ、端末装置が予め設定された条件を満たす時に端末装置がさらに非アクティブ状態の下で省電力モードに入ることができることを確定し、さらにアクセスネットワーク装置に省電力モードへの移行を要求することができる。ここで、該予め設定された条件は、該端末装置が該省電力モードをサポートすることを確定すること、該端末装置が省電力を目的とする端末装置であること、該端末装置におけるサービスが、該端末装置が該省電力モードに入ることを許可すること、該端末装置のサービスモード及び該端末装置の動き情報のうちの少なくとも１つを含むことができ、ここで詳細な説明を省略する。
【０１０４】
それに対応して、アクセスネットワーク装置は端末装置から送信された要求情報に基づき、該端末装置が非アクティブ状態の下で省電力モードに入ることができるか否かを確定し、そして端末装置へ応答情報を送信し、該応答情報は、該端末装置が非アクティブ状態でも省電力モードに入ることができるか否かを示すことに用いられ、このようにして端末装置は該応答情報に基づき、省電力モードに入るか、省電力モードに入らない。
【０１０５】
選択可能に、アクセスネットワーク装置は、補助情報に基づき、該端末装置が省電力モードに入ることができるか否かを確定することができる。具体的には、アクセスネットワーク装置が該補助情報に基づき、該端末装置が非アクティブ状態の下で省電力モードに入るか否かを確定するように、コアネットワーク装置は、アクセスネットワーク装置へ補助情報を送信する。ここで、該補助情報は、該端末装置が現在該省電力モードに入ることが許可されるか否か、該端末装置によって処理されているサービスが該省電力モードに入ることを許可するか否か、該省電力モードに入るサービスのＱｏＳ要求、該端末装置のタイプ、該端末装置のサービスモード及び該端末装置の動き情報のうちの少なくとも１つを含むことができ、ここで詳細な説明を省略する。
【０１０６】
理解すべきこととして、該アクセスネットワーク装置が、該端末装置が非アクティブ状態の下で省電力モードに入ることができないことを確定する場合、応答情報によって該端末装置が省電力モードに入らないことを示し、選択可能に、該応答情報はさらに該アクセスネットワークの拒絶理由を含むことができるが、本出願の実施形態はこれに限定されない。
【０１０７】
理解すべきこととして、該アクセスネットワーク装置が、該端末装置が非アクティブ状態の下で省電力モードに入ることができることを確定する場合、応答情報によって該端末装置が省電力モードに入ることを示し、それに対応して、端末装置は、該応答情報に応じて、省電力モードに入る。選択可能に、端末装置は該応答情報を受信する時に、該応答情報の指示に応じて省電力モードに入ることができ、又は、端末装置は該応答情報を受信する時に、第二のタイマーをオンにし、第二のタイマーがタイムアウトした時に、省電力モードに入る。
【０１０８】
選択可能に、該第二のタイマーの時間長はアクセスネットワーク装置によって端末装置に構成されてもよく、例えば、該第二のタイマーの時間長は該応答情報に含まれてもよく、又は、該第二のタイマーの時間長は予め設定されてもよく、例えばプロトコルに基づいて設定されてもよく、本出願の実施形態はこれに限定されない。
【０１０９】
理解すべきものとして、アクセスネットワーク装置は、端末装置に対して第二のタイマーの時間長を構成し、さらにコアネットワーク装置へ該第二のタイマーの時間長を送信することができ、例えば、コアネットワーク装置は、該第二のタイマーの時間長に従って、端末装置へサービスデータを送信する時間を確定するように、コントロールプレーンエンティティを介して該第二のタイマーの時間長を受信することができる。具体的には、該コアネットワーク装置は、該第二のタイマーの時間長に従って、端末装置が省電力モードにある時間を確定することができ、例えば、該端末装置が省電力モードに入る開始時点を確定することができ、これにより、該コアネットワーク装置のユーザプレーンエンティティは、該時点の前に、端末装置へサービスデータを送信し、即ち該端末装置がまだ通信モードにあるが省電力モードに入らない時に、サービスデータを送信し、該端末装置が省電力モードに入った後、コアネットワーク装置は、サービスデータを送信しなく、例えば、該サービスデータを先にキャッシュすることができる。
【０１１０】
又は、該コアネットワーク装置は、該第二のタイマーの時間長に従って、端末装置が省電力モードに入る第二の開始時点を確定し、これにより、該コアネットワーク装置は、アクセスネットワーク装置を介して端末装置へサービスデータを送信し、アクセスネットワーク装置は、該第二の開始時点の前に、端末装置へサービスデータを送信し、即ち該端末装置がまだ通信モードにあるが省電力モードに入らない時に、サービスデータを送信し、該端末装置が省電力モードに入った後、アクセスネットワーク装置は、サービスデータを一時的に送信せず、サービスデータを先にキャッシュすることができる。
【０１１１】
選択可能に、一つの実施形態として、端末装置が非アクティブ状態の下でも省電力モードに入る場合、該方法１００はさらに、端末装置が省電力モードに入る時に、第三のタイマーをオンにし、第三のタイマーがタイムアウトした場合、該端末装置が省電力モードからウェイクアップし、通信モードに入ることを含むことができる。具体的には、端末装置は、省電力モードにあると無線周波数チャネルがオフになる。端末装置は省電力モードからウェイクアップして通信モードに入ると無線周波数チャネルがオンになる。これにより、該端末装置は例えばセル選択、セル再選択、セル測定、ページングなどの動作を実行することができるが、本出願の実施形態はこれに限定されない。
【０１１２】
理解すべきこととして、端末装置は省電力モードからウェイクアップした後、依然として引き続き非アクティブ状態にあることができ、又は非アクティブ状態からアクティブ状態になるが、本出願の実施形態はこれに限定されない。
【０１１３】
選択可能に、該第三のタイマーの時間長は、端末装置及びアクセスネットワーク装置によってネゴシエートして確定されてもよく、又は、端末装置とコアネットワーク装置によってネゴシエートして確定され、且つコアネットワーク装置によってアクセスネットワーク装置に通知されてもよい。
【０１１４】
例えば、該第三のタイマーのネゴシエートが非アクティブ状態に入るように端末装置を構成するプロセスで行われてもよく、例えば該第三のタイマーの時間長が構成情報によって含まれてもよく、又は端末装置の接続確立又は再構成プロセス、端末装置の付着プロセス、又はプロトコルデータユニット（ＰＤＵ：ｐｒｏｔｏｃｏｌ  ｄａｔａ  ｕｎｉｔ）セッション確立又は変更プロセス、又はベアラ確立又は再構成プロセス、又はＱｏＳフロー確立又は再構成プロセスで行われてもよいが、本出願の実施形態はこれに限定されない。
【０１１５】
選択可能に、該第三のタイマーの時間長が端末装置及びアクセスネットワーク装置によってネゴシエートして確定される場合、アクセスネットワーク装置は、該第三のタイマーの時間長に従って、該端末装置が省電力モードからウェイクアップして省電力モードに入る第三の開始時点を確定することができ、そして該第三の開始時点の後、つまり該端末装置が通信モードに入った後、端末装置へサービスデータを送信することができ、ここで、該サービスデータがコアネットワーク装置からユーザプレーンエンティティを介して該アクセスネットワーク装置に送信されてもよく、該端末装置が省電力モードにある場合、該サービスデータがアクセスネットワーク装置に一時的にキャッシュされてもよい。又は、該アクセスネットワーク装置が端末装置とネゴシエートして該第三のタイマーの時間長を確定する場合、コアネットワーク装置が第三のタイマーの時間長に従って、端末装置へサービスデータを送信する時間を確定するように、該アクセスネットワーク装置は、コアネットワーク装置へ該第三のタイマーの時間長を送信することができる。具体的には、該コアネットワーク装置は、該第三のタイマーの時間長に従って、端末装置が通信モードにある時間を確定することができ、例えば、該端末装置が省電力モードからウェイクアップして省電力モードに入る時点を確定することができ、そして該時間の後、即ち該端末装置が通信モードに入った後、ユーザプレーンエンティティを介して端末装置へサービスデータを送信することができ、ここで、該端末装置が省電力モードにある場合、該サービスデータがコアネットワーク装置にキャッシュされてもよい。
【０１１６】
選択可能に、該第三のタイマーの時間長が端末装置とコアネットワーク装置によってネゴシエートして確定され、且つ、該コアネットワーク装置はさらに該アクセスネットワーク装置へ該第三のタイマーの時間長を通知することができ、該コアネットワーク装置は、該第三のタイマーの時間長に従って、端末装置へサービスデータを送信する時間を確定することができる。具体的には、該コアネットワーク装置は、該第三のタイマーの時間長に従って、端末装置が通信モードにある時間を確定することができ、例えば、該端末装置が省電力モードからウェイクアップして省電力モードに入る時点を確定することができ、そして該時間の後、即ち該端末装置が通信モードに入った後、ユーザプレーンエンティティを介して端末装置へサービスデータを送信することができ、ここで、該端末装置が省電力モードにある場合、該サービスデータがコアネットワーク装置にキャッシュされてもよい。又は、コアネットワーク装置と端末装置はネゴシエートして該第三のタイマーの時間長を確定し、コントロールプレーンエンティティを介してアクセスネットワーク装置へ該第三のタイマーの時間長を送信し、これにより、該アクセスネットワーク装置は該第三のタイマーの時間長に従って、該端末装置が省電力モードからウェイクアップして省電力モードに入る第三の開始時点を確定することができ、そして該第三の開始時点の後、つまり該端末装置が通信モードに入った後、端末装置へサービスデータを送信することができ、ここで、該サービスデータがコアネットワーク装置からユーザプレーンエンティティを介して該アクセスネットワーク装置に送信されてもよく、該端末装置が省電力モードにある場合、該サービスデータがアクセスネットワーク装置に一時的にキャッシュされてもよい。
【０１１７】
選択可能に、一つの実施形態として、端末装置が非アクティブ状態にある場合でも省電力モードに入る場合、該方法１００はさらに該端末装置がページングエリアの更新周期に基づき、該省電力モードから通信モードに入ることを確定し、該通信モードにある該端末装置の該無線周波数チャネルがオンになることを含むことができる。具体的には、端末装置が省電力モードに入った後、端末装置はページングエリアの更新周期に基づき、端末装置が通信モードに入る時間を同期し、該端末装置がページングエリアを更新する場合、例えば、該端末装置がページングエリア更新を開始する現在の時点又は前の時点に、端末装置は省電力モードからウェイクアップして通信モードに入り、つまり該端末装置が通信モードに入る時間がページングエリア更新周期と同期し、そのため、端末装置は省電力モードから通信モードに入るための時間を追加的に設定する必要がなく、且つ端末装置がページングエリアを更新する時に、省電力モードではなく通信モードにある。
【０１１８】
理解すべきこととして、本出願の実施形態における該コアネットワーク装置は、コントロールプレーンエンティティを含むことができ、該コントロールプレーンエンティティが様々な制御情報を処理できるいずれかのエンティティであってもよく、例えば補助情報を確定することができ、又はアクセスネットワーク装置へ該補助情報を送信することもでき、該コアネットワーク装置はさらにユーザプレーンエンティティを含むことができ、該ユーザプレーンエンティティがユーザデータを処理できるいずれかのエンティティであり、例えば、該ユーザプレーンエンティティが端末装置へサービスデータを送信することができ、又はアクセスネットワーク装置を介して端末装置へサービスデータを送信することができるが、本出願の実施形態はこれに限定されない。
【０１１９】
理解すべきこととして、本出願の実施形態におけるタイマー、例えば第一のタイマー、第二のタイマーと第三のタイマーは、計時のために用いられてもよいいずれかのデバイスであってもよく、例えば該タイマーは時間計と呼ばれてもよく、本出願はこれに限定されない。
【０１２０】
したがって、本出願の実施形態による端末装置の状態を確定するための方法では、端末装置は、アクセスネットワーク装置から送信された構成情報を受信し、該構成情報に基づいて非アクティブ状態に入り、さらに非アクティブ状態にある場合で端末装置が省電力モードに入ることができるか否かを確定することができ、例えば、アクセスネットワーク装置の構成によって確定し、又はタイマーに基づいて確定し、又は端末装置は予め設定された条件に基づき、省電力モードに入ることを要求し、これにより、非アクティブ状態にある端末装置が省電力モードに入ることが実現されてもよく、さらに端末装置の消費電力が低減される。
【０１２１】
以上に図１と組み合わせ、端末装置の観点から本出願の実施形態による端末装置の状態を確定するための方法を詳細に説明し、以下に図２−図３と組み合わせ、アクセスネットワーク装置の観点から本出願の実施形態による端末装置の状態を確定するための方法を説明する。
【０１２２】
図２は本出願の他の実施形態による端末装置の状態を確定するための方法２００の概略フローチャートである。該方法２００はアクセスネットワーク装置によって実行されてもよい。図２に示すように、該方法２００はＳ２１０とＳ２２０を含む。Ｓ２１０において、アクセスネットワーク装置が、端末装置が非アクティブ状態の下で省電力モードに入るか否かを確定し、該省電力モードにある該端末装置の無線周波数モジュールがオフになる。Ｓ２２０において、該アクセスネットワーク装置が該端末装置へ構成情報を送信し、該構成情報が、該端末装置が該非アクティブ状態に入ること及び非アクティブ状態の下で前記省電力モードに入るか否かを示すことに用いられる。
【０１２３】
選択可能に、該アクセスネットワーク装置が、端末装置が非アクティブ状態の下で省電力モードに入るか否かを確定する前に、該方法はさらに該アクセスネットワーク装置が該端末装置又はコアネットワーク装置から送信された能力情報を受信し、該能力情報が、該端末装置が該省電力モードをサポートするか否かを示すことに用いられることを含み、該アクセスネットワーク装置が、端末装置が非アクティブ状態の下で省電力モードに入るか否かを確定することは、該能力情報が、該端末装置が該省電力モードをサポートすることを示す場合、該アクセスネットワーク装置が、該端末装置が非アクティブ状態の下で省電力モードに入ることを確定すること、又は、該能力情報が、該端末装置が該省電力モードをサポートしないことを示す場合、該アクセスネットワーク装置が、該端末装置が非アクティブ状態の下で省電力モードに入らないことを確定することを含む。
【０１２４】
選択可能に、該アクセスネットワーク装置が、端末装置が非アクティブ状態の下で省電力モードに入るか否かを確定する前に、該方法はさらに該アクセスネットワーク装置がコアネットワーク装置から送信された補助情報を受信し、該補助情報が、該端末装置が現在該省電力モードに入ることを許可するか否か、該端末装置によって処理されているサービスが該省電力モードに入ることを許可するか否か、該省電力モードに入るサービスのＱｏＳ要求、及び該端末装置のタイプ、該端末装置のサービスモード及び該端末装置の動き情報のうちの少なくとも１つを含み、該サービスモードが、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含み、該動き情報が該端末装置の動き状態及び／又は移動レートを示すことに用いられることを含み、該アクセスネットワーク装置が、端末装置が非アクティブ状態の下で省電力モードに入るか否かを確定することは、該アクセスネットワーク装置が該補助情報に基づき、端末装置が非アクティブ状態の下で省電力モードに入るか否かを確定することを含む。
【０１２５】
選択可能に、該構成情報は、第一のタイマーの時間長を含み、該第一のタイマーは該端末装置が該非アクティブ状態に入る時に起動するために用いられ、該第一のタイマーがタイムアウトした時に該端末装置は該省電力モードに入る。
【０１２６】
選択可能に、該方法２００はさらに、該アクセスネットワーク装置が該コアネットワーク装置へ第一のタイマーの時間長を送信し、該第一のタイマーの時間長が、該コアネットワーク装置が該端末装置へ該サービスデータを送信する時間を確定するために用いられることを含む。
【０１２７】
選択可能に、該方法２００はさらに、該アクセスネットワーク装置が該コアネットワーク装置から送信されたサービスデータを受信することと、該アクセスネットワーク装置が該第一のタイマーに従って、該端末装置が該省電力モードに入る第一の開始時点を確定することと、該アクセスネットワーク装置が該第一の開始時点の前に、該端末装置へ該サービスデータを送信することと、を含む。
【０１２８】
選択可能に、該方法はさらに、該アクセスネットワーク装置が該端末装置とネゴシエートして第三のタイマーの時間長を確定し、該第三のタイマーが、該端末装置が該省電力モードに入る時に起動するために用いられ、該第三のタイマーがタイムアウトした場合、該端末装置が該省電力モードから通信モードに入り、該通信モードにある該端末装置の該無線周波数チャネルがオンになることを含む。
【０１２９】
選択可能に、該構成情報は該第三のタイマーの時間長を含む。
【０１３０】
選択可能に、該方法２００はさらに、該アクセスネットワーク装置が該コアネットワーク装置へ第三のタイマーの時間長を送信し、該第三のタイマーの時間長が、該コアネット装置が該端末装置へ該サービスデータを送信する時間を確定するために用いられることを含む。
【０１３１】
選択可能に、該方法２００はさらに、該アクセスネットワーク装置が該コアネットワーク装置から送信されたサービスデータを受信することと、該アクセスネットワーク装置が該第三のタイマーに従って、該端末装置が該通信モードに入る第三の開始時点を確定することと、該アクセスネットワーク装置が該第三の開始時点の後に、該端末装置へ該サービスデータを送信することと、を含む。
【０１３２】
理解すべきこととして、該方法２００における端末装置は、方法１００における端末装置に対応してもよく、該方法２００におけるアクセスネットワーク装置は方法１００におけるアクセスネットワーク装置に対応することができ、該方法２００におけるコアネットワーク装置は方法１００におけるコアネットワーク装置に対応することができ、ここで詳細な説明を省略する。
【０１３３】
したがって、本出願の実施形態における端末装置の状態を確定するための方法では、アクセスネットワーク装置は、該端末装置が非アクティブ状態にある時に省電力モードに入ることができるか否かを確定し、端末装置が非アクティブ状態にある場合で省電力モードに入ることができるか否かを構成情報によって示し、これにより、非アクティブ状態にある端末装置が省電力モードに入ることが実現されてもよく、さらに端末装置の消費電力が低減される。
【０１３４】
図３は本出願のさらなる他の実施形態による端末装置の状態を確定するための方法３００の概略フローチャートである。該方法３００はアクセスネットワーク装置によって実行されてもよい。図３に示すように、該方法３００は、Ｓ３１０、Ｓ３２０及びＳ３３０を含む。Ｓ３１０において、アクセスネットワーク装置が端末装置へ構成情報を送信し、該構成情報が、該端末装置が非アクティブ状態に入ることを示すことに用いられる。Ｓ３２０において、該アクセスネットワーク装置が、該端末装置が該非アクティブ状態に入った後に送信した要求情報を受信し、該要求情報が、該端末装置が該非アクティブ状態の下で省電力モードに入ることを要求するために用いられ、該省電力モードにある該端末装置の無線周波数モジュールがオフになる。Ｓ３３０において、該アクセスネットワーク装置が該要求情報及び補助情報に基づき、該端末装置へ応答情報を送信し、該応答情報が、該端末装置が該非アクティブ状態の下で省電力モードに入るか否かを示すことに用いられる。
【０１３５】
選択可能に、該応答情報は、該端末装置が該省電力モードに入らないことを示すことに用いられ、該応答情報は、該アクセスネットワーク装置の拒絶理由を含む。
【０１３６】
選択可能に、該応答情報は、該端末装置が第二のタイマーに従って該省電力モードに入ることを示すことに用いられ、該第二のタイマーが、該端末装置が該応答情報を受信する時に起動するために用いられ、該第二のタイマーがタイムアウトした場合に該端末装置は該省電力モードに入る。
【０１３７】
選択可能に、該応答情報は該第二のタイマーの時間長を含む。
【０１３８】
選択可能に、該方法３００はさらに、該アクセスネットワーク装置が該コアネットワーク装置へ第二のタイマーの時間長を送信し、該第二のタイマーの時間長が、該コアネットワーク装置が該端末装置へ該サービスデータを送信する時間を確定するために用いられることを含む。
【０１３９】
選択可能に、該方法３００はさらに、該アクセスネットワーク装置が該コアネットワーク装置から送信されたサービスデータを受信することと、該アクセスネットワーク装置が該第二のタイマーに従って、該端末装置が該省電力モードに入る第二の開始時点を確定することと、該アクセスネットワーク装置が該第二の開始時点の前に、該端末装置へ該サービスデータを送信することと、を含む。
【０１４０】
選択可能に、該方法はさらに、該アクセスネットワーク装置がコアネットワーク装置から送信された該補助情報を受信することを含む。
【０１４１】
選択可能に、該補助情報は、該端末装置が現在該省電力モードに入ることを許可するか否か、該端末装置によって処理されているサービスが該省電力モードに入ることを許可するか否か、該省電力モードに入るサービスのＱｏＳ要求、及び該端末装置のタイプ、該端末装置のサービスモード及び該端末装置の動き情報のうちの少なくとも１つを含み、該サービスモードが、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含み、該動き情報が該端末装置の動き状態及び／又は移動レートを示すことに用いられる。
【０１４２】
選択可能に、該方法はさらに、該アクセスネットワーク装置が該端末装置とネゴシエートして第三のタイマーの時間長を確定し、該第三のタイマーが、該端末装置が該省電力モードに入る時に起動するために用いられ、該第三のタイマーがタイムアウトした場合、該端末装置が該省電力モードから通信モードに入り、該通信モードにある該端末装置の該無線周波数チャネルがオンになることを含む。
【０１４３】
選択可能に、該構成情報は該第三のタイマーの時間長を含む。
【０１４４】
選択可能に、該方法３００はさらに、該アクセスネットワーク装置が該コアネットワーク装置へ第三のタイマーの時間長を送信し、該第三のタイマーの時間長が、該コアネットワーク装置が該端末装置へ該サービスデータを送信する時間を確定するために用いられることを含む。
【０１４５】
選択可能に、該方法３００はさらに、該アクセスネットワーク装置が該コアネットワーク装置から送信されたサービスデータを受信することと、該アクセスネットワーク装置が該第三のタイマーに従って、該端末装置が該通信モードに入る第三の開始時点を確定することと、該アクセスネットワーク装置が該第三の開始時点の後に、該端末装置へ該サービスデータを送信することと、を含む。
【０１４６】
理解すべきものとして、該方法３００における端末装置は、方法１００における端末装置に対応してもよく、該方法３００におけるアクセスネットワーク装置は方法１００におけるアクセスネットワーク装置に対応し、該方法３００におけるコアネットワーク装置は方法１００におけるコアネットワーク装置に対応してもよく、ここで詳細な説明を省略する。
【０１４７】
したがって、本出願の実施形態における端末装置の状態を確定するための方法では、アクセスネットワーク装置は、非アクティブ状態に入るように端末装置を構成し、該端末装置が非アクティブ状態に入り且つ省電力モードに入ることができるか否かを確定し、要求情報によって省電力モードに入ることを要求し、アクセスネットワーク装置は、端末装置の関連補助情報に基づき、該端末装置が非アクティブ状態にある場合で省電力モードに入ることができるか否かを確定し、そして応答情報によって端末装置に指示し、これにより、非アクティブ状態にある端末装置が省電力モードに入ることが実現されてもよく、さらに端末装置の消費電力が低減される。
【０１４８】
以上に図１〜図３と組み合わせ、アクセスネットワーク装置の観点から本出願の実施形態による端末装置の状態を確定するための方法を詳細に説明し、以下に図４−図５と組み合わせ、コアネットワーク装置の観点から本出願の実施形態による端末装置の状態を確定するための方法を説明する。
【０１４９】
図４は本出願の他の実施形態による端末装置の状態を確定するための方法４００の概略フローチャートである。該方法４００はコアネットワーク装置によって実行されてもよい。図４に示すように、該方法４００はＳ４１０とＳ４２０を含む。Ｓ４１０において、コアネットワーク装置がコントロールプレーンエンティティを介して端末装置のタイマー情報を確定し、該タイマー情報が第二のタイマーの時間長及び／又は第三のタイマーの時間長を含み、該第二のタイマーの時間長が、該端末装置が該第二のタイマーがタイムアウトした時に通信モードから省電力モードに入るために用いられ、該第三のタイマーの時間長が、該端末装置が該第三のタイマーがタイムアウトした時に該省電力モードから該通信モードに入るために用いられ、該省電力モードにある該端末装置の無線周波数モジュールがオフになり、該通信モードにある該端末装置の該無線周波数チャネルがオンになる。Ｓ４２０において、該コアネットワーク装置が該タイマー情報に基づき、ユーザプレーンエンティティを介して該端末装置へサービスデータを送信する。
【０１５０】
理解すべきこととして、該方法４００における第二のタイマーは、方法１００における第二のタイマー及び／又は第一のタイマーに対応することができ、該方法４００における第三のタイマーは方法１００における第三のタイマーに対応することができ、ここで詳細な説明を省略する。
【０１５１】
選択可能に、該コアネットワーク装置がコントロールプレーンエンティティを介して端末装置のタイマー情報を確定することは、該コアネットワーク装置が該コントロールプレーンエンティティを介して該端末装置とネゴシエートして該タイマー情報を確定することを含む。
【０１５２】
選択可能に、該コアネットワーク装置がコントロールプレーンエンティティを介して端末装置のタイマー情報を確定することは、該コアネットワーク装置が該コントロールプレーンエンティティを介してアクセスネットワーク装置から送信されたタイマー情報を受信し、該タイマー情報が該アクセスネットワーク装置と該端末装置によってネゴシエートして確定されることを含む。
【０１５３】
選択可能に、該方法はさらに、該アクセスネットワーク装置がアクセスネットワーク装置へ補助情報を送信し、該補助情報が、該アクセスネットワーク装置が該端末装置が該非アクティブ状態の下で省電力モードに入るか否かを確定するために用いられることを含む。
【０１５４】
選択可能に、該補助情報は、該端末装置が現在該省電力モードに入ることを許可するか否か、該端末装置によって処理されているサービスが該省電力モードに入ることを許可するか否か、該省電力モードに入るサービスのサービス品質（ＱｏＳ）要求、及び該端末装置のタイプ、該端末装置のサービスモード及び動き情報のうちの少なくとも１つを含み、該サービスモードが、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含み、該動き情報が該端末装置の動き状態及び／又は移動レートを示すことに用いられる。
【０１５５】
理解すべきこととして、該方法４００における端末装置は、方法１００における端末装置に対応してもよく、方法４００におけるアクセスネットワーク装置は方法１００におけるアクセスネットワーク装置に対応し、該方法４００におけるコアネットワーク装置は方法１００におけるコアネットワーク装置に対応してもよく、ここで詳細な説明を省略する。
【０１５６】
したがって、本出願の実施形態による端末装置の状態を確定するための方法では、端末装置が非アクティブ状態にある時に、さらに省電力モードにあることができるため、コアネットワーク装置は、省電力モード又は通信モードに入ることに関する該端末装置のタイマー情報を確定し、さらに該端末装置が省電力モードにある時間を確定し、該時間に従って、端末装置が通信モードにある時に端末装置へサービスデータを送信し、端末装置が省電力モードにある時に、該サービスデータを一時的にキャッシュすることを、実現し、これにより、サービスデータ伝送に影響を与えることなく、端末装置の消費電力が低減される。
【０１５７】
図５は本出願の他の実施形態による端末装置の状態を確定するための方法５００の概略フローチャートである。該方法５００はコアネットワーク装置によって実行されてもよい。図５に示すように、該方法５００は、Ｓ５１０、Ｓ５２０及びＳ５３０をふくむ。Ｓ５１０において、コアネットワーク装置がコントロールプレーンエンティティを介して端末装置とネゴシエートしてタイマー情報を確定し、該タイマー情報が第二のタイマーの時間長及び／又は第三のタイマーの時間長を含み、該第二のタイマーの時間長が、該端末装置が該第二のタイマーがタイムアウトした時に通信モードから省電力モードに入るために用いられ、該第三のタイマーの時間長が、該端末装置が該第三のタイマーがタイムアウトした時に該省電力モードから該通信モードに入るために用いられ、該省電力モードにある該端末装置の無線周波数モジュールがオフになり、該通信モードにある該端末装置の該無線周波数チャネルがオンになる。Ｓ５２０において、該コアネットワーク装置がコントロールプレーンエンティティを介してアクセスネットワーク装置へ該タイマー情報を送信し、該タイマー情報は、該アクセスネットワーク装置が、該端末装置が該通信モードにある時間を確定するために用いられる。Ｓ５３０において、該コアネットワーク装置がユーザプレーンエンティティを介して該アクセスネットワーク装置へサービスデータを送信し、該サービスデータが、該アクセスネットワーク装置が該時間内で該端末装置へ該サービスデータを送信するために用いられる。
【０１５８】
理解すべきこととして、該方法５００における第二のタイマーは、方法１００における第二のタイマー及び／又は第一のタイマーに対応することができ、該方法５００における第三のタイマーは方法１００における第三のタイマーに対応することができ、ここで詳細な説明を省略する。
【０１５９】
選択可能に、該方法はさらに該アクセスネットワーク装置がアクセスネットワーク装置へ補助情報を送信し、該補助情報は、該アクセスネットワーク装置が、該端末装置が該非アクティブ状態の下で省電力モードに入るか否かを確定するために用いられることを含む。
【０１６０】
選択可能に、該補助情報は、該端末装置が現在該省電力モードに入ることを許可するか否か、該端末装置によって処理されているサービスが該省電力モードに入ることを許可するか否か、該省電力モードに入るサービスのサービス品質（ＱｏＳ）要求、及び該端末装置のタイプ、該端末装置のサービスモード及び動き情報のうちの少なくとも１つを含み、該サービスモードが、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含み、該動き情報が該端末装置の動き状態及び／又は移動レートを示すことに用いられる。
【０１６１】
理解すべきものとして、該方法５００における端末装置は、方法１００における端末装置に対応してもよく、該方法５００におけるアクセスネットワーク装置は方法１００におけるアクセスネットワーク装置に対応し、該方法５００におけるコアネットワーク装置は方法１００におけるコアネットワーク装置に対応してもよく、ここで詳細な説明を省略する。
【０１６２】
したがって、本出願の実施形態による端末装置の状態を確定するための方法では、端末装置が非アクティブ状態にある時に、さらに省電力モードにあることができるため、コアネットワーク装置は、省電力モード又は通信モードに入ることに関する該端末装置のタイマー情報を確定し、アクセスネットワーク装置へ該タイマー情報を送信し、これにより、アクセスネットワーク装置は、該タイマー情報に基づいて該端末装置が省電力モードにある時間を確定し、該時間に従って、端末装置が通信モードにある時に端末装置へサービスデータを送信し、端末装置が省電力モードにある時に、該サービスデータを一時的にキャッシュすることを、実現することができ、これにより、サービスデータ伝送に影響を与えることなく、端末装置の消費電力が低減される。
【０１６３】
理解すべきこととして、以上では、端末装置が入る省電力モードは、省電力モードにある端末装置の無線周波数モジュールがオフになることを例として説明した。選択可能に、端末装置が省電力モードに入ることは、さらに他の状況を含むことができ、例えば、端末装置が拡張周期の不連続受信（ＤＲＸ：Ｄｉｓｃｏｎｔｉｎｕｏｕｓ  Ｒｅｃｅｐｔｉｏｎ）を採用することは、同様に省電力モードと見なすことができる。以下に図１４〜図１６を組み合わせながら本出願の他の実施形態の端末装置の状態を確定するための方法を詳細に説明する。
【０１６４】
図１４は本出願の実施形態による端末装置の状態を確定するための方法１４００の概略フローチャートである。該方法１４００は端末装置によって実行されてもよい。図１４に示すように、該方法１４００はＳ１４１０とＳ１４２０を含む。Ｓ１４１０において、端末装置がアクセスネットワーク装置から送信された構成情報を受信し、該構成情報は、該端末装置が非アクティブ状態に入ることを示すことに用いられる。Ｓ１４２０において、該端末装置が非アクティブ状態の下で省電力モードに入るか否かを確定し、該省電力モードにある該端末装置が拡張周期の不連続受信（ＤＲＸ）を採用する。
【０１６５】
本出願の実施形態では、端末装置が入る省電力モードとは、端末装置が拡張周期のＤＲＸを採用することを指し、上述した各実施形態（例えば方法１００〜方法５００）における端末装置が省電力モードに入る時に無線周波数モジュールをオフにすることに比べ、端末装置が２つの異なる省電力モードを選択して入ることができると見なすことができる。しかし、端末装置がどの省電力モードを選択するかに関わらず、つまり端末装置が非アクティブ状態にある場合で省電力モードに入るか否かを確定するプロセスはいずれも上記各実施形態に応用されてもよく、つまり上記各実施形態における省電力モードとは端末装置が無線周波数モジュールをオフにすることを指すことができ、同様に、端末装置が拡張周期のＤＲＸを採用することを指すことができ、簡潔にするために、ここで詳細な説明を省略する。
【０１６６】
以下にいくつかの具体的な実施形態を組み合わせ、端末装置が拡張周期のＤＲＸを採用することを例として説明する。
【０１６７】
選択可能に、一つの実施形態として、端末装置はＳ１４１０でアクセスネットワーク装置から送信された構成情報を受信し、該構成情報は、端末装置が非アクティブ状態に入ることを示すことに用いられるとともに、該端末装置が該省電力モードに入ることを示すことに用いられる。例えば、該構成情報が該ＤＲＸの拡張周期を含むことができ、端末装置は該構成情報に基づき、該非アクティブ状態の下でＤＲＸの拡張周期に従って同時に省電力モードに入ることを確定し、拡張周期のＤＲＸを採用する。
【０１６８】
選択可能に、一つの実施形態として、端末装置はさらに他の条件に応じて、非アクティブ状態の下で省電力モードに入るか否かを確定することができる。例えば、端末装置は、構成情報に基づき、該非アクティブ状態に入ることを確定する場合で、既にコアネットワーク装置とネゴシエートしてアイドル状態での拡張ＤＲＸの周期を確定したか否かを確定することができる。具体的には、該端末装置が既にコアネットワーク装置とネゴシエートしてアイドル状態での拡張ＤＲＸの周期を確定した場合、該端末装置は、省電力モードに入ることを確定することができ、同時に、端末装置はさらに該アイドル状態での拡張ＤＲＸの周期と非アクセス層（ＮＡＳ）メッセージ再送信タイマーの時間のうちの最小値を、該ＤＲＸの拡張周期として確定することができる。
【０１６９】
また、例えば、端末装置はさらに構成情報に基づき、該非アクティブ状態に入ることを確定する場合で、予め設定された条件に応じて、省電力モードに入ることを確定することができる。具体的には、該予め設定された条件は、該端末装置が該省電力モードをサポートすることを確定すること、該端末装置が省電力を目的とする端末装置であること、該端末装置におけるサービスが、該端末装置が該省電力モードに入ることを許可することの少なくとも一つを含むことができ、該端末装置のサービスモードは、該端末装置への該サービスの到達の時間間隔、該端末装置への該サービスの到達の頻度、該端末装置における該サービスの継続時間、該サービスにおけるデータパケットのデータ量及び該データパケットの数のうちの少なく一つのパラメータを含み、該端末装置の動き情報は該端末装置の動き状態及び／又は移動レートを示すことに用いられ、該端末装置は既にコアネットワークとネゴシエートして該ＤＲＸの拡張周期を確定する。
【０１７０】
選択可能に、該端末装置が該非アクティブ状態に入る場合でも、該省電力モードに入ることを確定するため、端末装置は、該非アクティブ状態及び該省電力モードに入った後、該アクセスネットワーク装置へ確認情報を送信することができ、該確認情報は、該アクセスネットワーク装置が、該端末装置が該非アクティブ状態及び該省電力モードに入ることを確定するために用いられる。
【０１７１】
選択可能に、一つの実施形態として、端末装置が該非アクティブ状態の下で省電力モードに入るか否かを確定することは、さらに、該端末装置が該アクセスネットワーク装置から送信された該構成情報を受信した後、該端末装置が非アクティブ状態に入り、該アクセスネットワーク装置又はコアネットワーク装置から送信された指示情報を受信することと、該端末装置が該指示情報に基づき、省電力モードに入ることを確定することと、を含むことができる。例えば、端末装置が該ＤＲＸの拡張周期に従って、拡張周期のＤＲＸを採用するように、該指示情報は、該ＤＲＸの拡張周期を示すことに用いられてもよい。
【０１７２】
ここで、該指示情報は、該ＤＲＸの拡張周期を含むことができ、又は、端末装置が該ＤＲＸのパラメータ情報に基づき、該ＤＲＸの拡張周期を確定するように、該指示情報は、ＤＲＸのパラメータ情報を含むことができる。例えば、該ＤＲＸのパラメータ情報は端末装置のアイドル状態における拡張ＤＲＸの周期及び／又はＮＡＳメッセージ再送信タイマーの時間長を含むことができ、端末装置は、両者のうちの最小値をＤＲＸの拡張周期として確定することができ、本出願の実施形態はこれに限定されない。
【０１７３】
したがって、本出願の実施形態における端末装置の状態を確定するための方法では、端末装置は構成情報に基づき、非アクティブ状態に入ることを確定し、さらに省電力モードに入ることができるか否かを確定することができ、省電力モードにある端末装置は、端末装置に対して拡張周期のＤＲＸを採用することができ、さらに端末装置の消費電力を低減させることができる。
【０１７４】
以上に図１４と組み合わせ、端末装置の観点から本出願の実施形態による端末装置の状態を確定するための方法を詳細に説明し、以下に図１５と組み合わせ、アクセスネットワーク装置の観点から本出願の実施形態による端末装置の状態を確定するための方法を説明する。
【０１７５】
図１５は本出願の他の実施形態による端末装置の状態を確定するための方法１５００の概略フローチャートである。該方法１５００はアクセスネットワーク装置によって実行されてもよい。図１５に示すように、該方法１５００はＳ１５１０とＳ１５２０を含む。Ｓ１５１０において、アクセスネットワーク装置が端末装置へ構成情報を送信し、該構成情報が該端末装置が非アクティブ状態に入ることを示すことに用いられる。Ｓ１５２０において、該アクセスネットワーク装置が、該端末装置が非アクティブ状態の下で省電力モードに入るか否かを確定し、該省電力モードにある該端末装置が拡張周期の不連続受信（ＤＲＸ）を採用する。
【０１７６】
上記方法１４００と同様に、該方法１５００における端末装置が入る省電力モードは依然として端末装置が拡張周期のＤＲＸを採用することを例として説明され、同様に、省電力モードが、端末装置が無線周波数チャネルをオフにすることである上記各実施形態に応用してもよく、簡潔にするために、ここで詳細な説明を省略する。
【０１７７】
以下にいくつかの具体的な実施形態を組み合わせ、端末装置が入る省電力モードが、端末装置が拡張周期のＤＲＸを採用することであることを例として説明する。
【０１７８】
選択可能に、一つの実施形態として、該アクセスネットワーク装置が、端末装置が非アクティブ状態の下で省電力モードに入るか否かを確定する前に、該方法はさらに該アクセスネットワーク装置が該端末装置又はコアネットワーク装置から送信された能力情報を受信し、該能力情報が、該端末装置が該省電力モードをサポートするか否かを示すことに用いられることを含み、該アクセスネットワーク装置が、端末装置が非アクティブ状態の下で省電力モードに入るか否かを確定することは、該能力情報が、該端末装置が該省電力モードをサポートすることを示す場合、該アクセスネットワーク装置が、該端末装置が非アクティブ状態の下で省電力モードに入ることを確定すること、又は、該能力情報が、該端末装置が該省電力モードをサポートしないことを示す場合、該アクセスネットワーク装置が、該端末装置が非アクティブ状態の下で省電力モードに入らないことを確定することを含む。
【０１７９】
選択可能に、一つの実施形態として、該アクセスネットワーク装置が、端末装置が非アクティブ状態の下で省電力モードに入るか否かを確定する前に、該方法は、さらに該アクセスネットワーク装置がコアネットワーク装置から送信された補助情報を受信し、該補助情報が、該端末装置が現在該省電力モードに入ることを許可するか否か、該端末装置によって処理されているサービスが該省電力モードに入ることを許可するか否か、該省電力モードに入るサービスのサービス品質（ＱｏＳ）要求、該端末装置のタイプ、該端末装置のサービスモード、動き情報及びＤＲＸパラメータ情報のうちの少なくとも１つを含み、該サービスモードが、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含み、該動き情報が該端末装置の動き状態及び／又は移動レートを示すことに用いられ、該ＤＲＸパラメータ情報が、該アクセスネットワーク装置が該ＤＲＸの拡張周期を確定するために用いられることを含み、該アクセスネットワーク装置が、端末装置が非アクティブ状態の下で省電力モードに入るか否かを確定することは、該アクセスネットワーク装置が該補助情報に基づき、端末装置が非アクティブ状態の下で省電力モードに入るか否かを確定することを含む。
【０１８０】
理解すべきこととして、該アクセスネットワーク装置は補助情報に含まれるＤＲＸパラメータ情報に基づいて端末装置のＤＲＸの拡張周期を確定することができ、該ＤＲＸの拡張周期が該端末装置と該コアネットワーク装置によってネゴシエートされたアイドル状態での拡張ＤＲＸの周期とＮＡＳメッセージ再送信タイマーの時間長のうちの最小値であってもよい。例えば、該ＤＲＸの拡張周期はコアネットワークによって確定されてもよく、即ち該ＤＲＸパラメータ情報は、該ＤＲＸの拡張周期を含む。また、例えば、該ＤＲＸの拡張周期は、アクセスネットワーク装置によって確定されてもよく、該ＤＲＸパラメータ情報は、該端末装置と該コアネットワークによってネゴシエートされたアイドル状態での拡張ＤＲＸの周期とＮＡＳメッセージ再送信タイマーの時間長を含むことができ、このようにして該アクセスネットワーク装置は該ＤＲＸパラメータ情報に含まれる該２つのパラメータのうちの最小値を該ＤＲＸの拡張周期として確定する。
【０１８１】
選択可能に、一つの実施形態として、該アクセスネットワーク装置が、該端末装置が非アクティブ状態の下で該省電力モードに入ることを確定する場合、該構成情報は、さらに該端末装置が該省電力モードに入ることを示すことに用いられ、つまりアクセスネットワーク装置は、該構成情報により、端末装置がアクティブ状態に入ることだけでなく、端末装置が省電力モードに入ることを示すことができ、該構成情報は該ＤＲＸの拡張周期を含む。
【０１８２】
選択可能に、一つの実施形態として、該アクセスネットワーク装置が、該端末装置が非アクティブ状態の下で該省電力モードに入ることを確定する場合、該方法１５００はさらに該アクセスネットワーク装置が該端末装置へ指示情報を送信し、該指示情報は、該端末装置が非アクティブ状態の下で該省電力モードに入ることを示すことに用いられ、つまりアクセスネットワーク装置が２つの情報により、端末装置がアクティブ状態と省電力モードに入ることをそれぞれ示すことを含む。例えば、該指示情報は該ＤＲＸの拡張周期を含む。
【０１８３】
理解すべきものとして、該方法１５００における端末装置は、方法１４００における端末装置に対応してもよく、該方法１５００におけるアクセスネットワーク装置は方法１４００におけるアクセスネットワーク装置に対応してもよく、該方法１５００におけるコアネットワーク装置は方法１４００におけるコアネットワーク装置に対応してもよく、ここで詳細な説明を省略する。
【０１８４】
したがって、本出願の実施形態における端末装置の状態を確定するための方法では、アクセスネットワーク装置は、該端末装置が非アクティブ状態にある時に省電力モードに入ることができるか否かを確定し、構成情報及び／又は指示情報により、端末装置が非アクティブ状態にある場合で省電力モードに入ることができるか否かを示し、これにより、非アクティブ状態にある端末装置が省電力モードに入ることが実現されてもよく、さらに端末装置の消費電力が低減される。
【０１８５】
以上に図１４〜図１５と組み合わせ、端末装置及びアクセスネットワーク装置の観点から本出願の実施形態による端末装置の状態を確定するための方法を詳細に説明し、以下に図１６と組み合わせ、コアネットワーク装置の観点から本出願の実施形態による端末装置の状態を確定するための方法を説明する。
【０１８６】
図１６は本出願の他の実施形態による端末装置の状態を確定するための方法１６００の概略フローチャートである。該方法１６００はコアネットワーク装置によって実行されてもよい。図１６に示すように、該方法１６００はＳ１６１０を含む。Ｓ１６１０において、コアネットワーク装置が端末装置とネゴシエートして該端末装置が拡張周期の不連続受信（ＤＲＸ）を採用する時の拡張周期を確定し、該拡張周期が、該端末装置が非アクティブ状態の下で省電力モードに入るか否かを確定するために用いられ、該省電力モードにある該端末装置が該拡張周期のＤＲＸを採用する。
【０１８７】
上記方法１４００及び上記方法１５００と同様に、該方法１６００における端末装置が入る省電力モードは依然として端末装置が拡張周期のＤＲＸを採用することを例として説明され、同様に、省電力モードが、端末装置が無線周波数チャネルをオフにすることである上記各実施形態に応用してもよく、簡潔にするために、ここで詳細な説明を省略する。
【０１８８】
以下にいくつかの具体的な実施形態と組み合わせ、コアネットワーク装置の観点から本出願の実施形態による端末装置の状態を確定するための方法１６００を説明する。
【０１８９】
選択可能に、一つの実施形態として、該方法１６００は、さらに、該コアネットワーク装置が該端末装置及び／又はアクセスネットワーク装置へ該ＤＲＸのパラメータ情報を送信し、該ＤＲＸのパラメータ情報がＤＲＸの拡張周期を示すことに用いられ、該ＤＲＸの拡張周期が、端末装置が非アクティブ状態で省電力モードに入って拡張周期のＤＲＸを採用する時の周期であり、ここで、該ＤＲＸの拡張周期が該端末装置と該コアネットワーク装置によってネゴシエートされたアイドル状態での拡張ＤＲＸの周期とＮＡＳメッセージ再送信タイマーの時間長のうちの最小値であってもよいことを含むことができる。
【０１９０】
具体的には、該コアネットワーク装置は該端末装置及び／又はアクセスネットワーク装置へ該ＤＲＸの拡張周期を送信することができ、即ちＤＲＸのパラメータ情報は該ＤＲＸの拡張周期を含む。即ち該コアネットワーク装置は該端末装置と該コアネットワーク装置によってネゴシエートされたアイドル状態での拡張ＤＲＸの周期とＮＡＳメッセージ再送信タイマーの時間長のうちの最小値を該ＤＲＸの拡張周期として確定し、そして該端末装置及び／又はアクセスネットワーク装置へ該ＤＲＸの拡張周期を含むＤＲＸのパラメータ情報を送信する。
【０１９１】
又は、該コアネットワーク装置は、該端末装置及び／又はアクセスネットワーク装置へ該ＤＲＸパラメータ情報を送信することができ、該ＤＲＸパラメータ情報が該コアネットワーク装置は該端末装置と該コアネットワーク装置によってネゴシエートされたアイドル状態での拡張ＤＲＸの周期とＮＡＳメッセージ再送信タイマーの時間長を含み、このようにして該端末装置及び／又はアクセスネットワーク装置は該ＤＲＸパラメータ情報に基づき、端末装置が非アクティブ状態で拡張ＤＲＸを採用する時のＤＲＸの拡張周期を確定し、例えば、ＤＲＸパラメータ情報に含まれる該端末装置と該コアネットワーク装置によってネゴシエートされたアイドル状態での拡張ＤＲＸの周期とＮＡＳメッセージ再送信タイマーの時間長のうちの最小値を該ＤＲＸの拡張周期として確定する。
【０１９２】
本出願の実施形態では、コアネットワーク装置が該端末装置及び／又はアクセスネットワーク装置へ該ＤＲＸのパラメータ情報を送信する前に、該コアネットワーク装置は、さらに、該端末装置が該非アクティブ状態で該拡張周期のＤＲＸを用いることをサポートするか否か、該端末装置が該非アクティブ状態で該拡張周期のＤＲＸを用いることを要求するか否か、該端末装置と該コアネットワーク装置が該非アクティブ状態で該拡張周期のＤＲＸを用いることをサポートするか否かをネゴシエートすること、該コアネットワーク装置とアクセスネットワーク装置が該非アクティブ状態で該拡張周期のＤＲＸを用いることをサポートするか否か、又は該非アクティブ状態での該拡張周期のＤＲＸを用いるか否かをネゴシエートすることの少なくとも１つを実行することができる。
【０１９３】
選択可能に、コアネットワーク装置はさらに上記の確定した内容の少なくとも１つに従って、非アクティブ状態での端末装置の拡張ＤＲＸの該拡張周期を確定することができ、本出願の実施形態はこれに限定されない。
【０１９４】
理解すべきこととして、該方法１６００における端末装置は、方法１４００における端末装置に対応してもよく、該方法１６００におけるアクセスネットワーク装置は方法１４００におけるアクセスネットワーク装置に対応してもよく、該方法１６００におけるコアネットワーク装置は方法１４００におけるコアネットワーク装置に対応してもよく、ここで詳細な説明を省略する。
【０１９５】
したがって、本出願の実施形態における端末装置の状態を確定するための方法では、端末装置が非アクティブ状態にある時に、さらに省電力モードにあることができるため、コアネットワーク装置は、該端末装置が拡張ＤＲＸを採用する時の拡張周期を確定することができ、このようにして端末装置は該拡張周期に従って、非アクティブ状態に入る場合でも、省電力モードにある時に、サービスデータの伝送を一時的に停止することができ、これにより、サービスデータ伝送に影響を与えることなく、端末装置の消費電力が低減される。
【０１９６】
本出願の様々な実施形態では、上記各プロセスの番号の大きさが実行順序を意味せず、各プロセスの実行順序はその機能と内部論理で確定されるべきであり、本出願の実施形態の実施プロセスのいかなる限定を構成すべきではないと理解すべきである。
【０１９７】
また、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１９８】
以上に図１〜図５と組み合わせて本出願の実施形態による端末装置の状態を確定するための方法を詳細に説明したが、以下に図６〜図１３と組み合わせて本出願の実施形態による通信装置と通信システムを説明する。
【０１９９】
図６に示すように、本出願の実施形態による端末装置６００は受信ユニット６１０と処理ユニット６２０を備え、選択可能に、さらに送信ユニット６３０を備えることができる。具体的には、該受信ユニット６１０は、アクセスネットワーク装置から送信された構成情報を受信するように構成され、該構成情報は、端末装置が非アクティブ状態に入ることを示すことに用いられ、該処理ユニット６２０は、該非アクティブ状態の下で省電力モードに入るか否かを確定するように構成され、該省電力モードにある該端末装置の無線周波数モジュールがオフになる。
【０２００】
選択可能に、該構成情報はさらに該端末装置が該省電力モードに入ることを示すことに用いられ、該処理ユニット６２０は、具体的に該構成情報に基づき、該非アクティブ状態に入るとともに、該省電力モードに入るように構成される。
【０２０１】
選択可能に、該送信ユニット６３０は、該アクセスネットワーク装置へ能力情報を送信するように構成され、該能力情報は、該端末装置が該省電力モードをサポートするか否かを示すことに用いられ、該構成情報が、該能力情報に応じて該アクセスネットワーク装置によって確定される。
【０２０２】
選択可能に、該処理ユニット６２０は具体的に該非アクティブ状態に入る時に、第一のタイマーをオンにし、該第一のタイマーがタイムアウトした場合、該省電力モードに入るように構成される。
【０２０３】
選択可能に、該構成情報はさらに該第一のタイマーの時間長を示すことに用いられる。
【０２０４】
選択可能に、該処理ユニット６２０は、具体的に該受信ユニット６１０が該アクセスネットワーク装置から送信された該構成情報を受信した後に、予め設定された条件に応じて、省電力モードに入ることを確定し、該非アクティブ状態に入るとともに、該省電力モードに入るように構成され、該送信ユニット６３０は該アクセスネットワーク装置へ確認情報を送信するように構成され、該確認情報は、該アクセスネットワーク装置が、該端末装置が該非アクティブ状態及び該省電力モードに入ることを確定するために用いられる。
【０２０５】
選択可能に、該処理ユニット６２０は具体的に該受信ユニット６１０が該アクセスネットワーク装置から送信された該構成情報を受信した後に、非アクティブ状態に入り、予め設定された条件に応じて、該非アクティブ状態の下で省電力モードに入ることができることを確定するように構成され、該送信ユニット６３０は、該アクセスネットワーク装置へ要求情報を送信し、該要求情報が、該端末装置が非アクティブ状態の下で該省電力モードに入ることを該アクセスネットワーク装置に要求するために用いられ、該受信ユニット６１０は、具体的に該要求情報に応じて該アクセスネットワーク装置によって送信された応答情報を受信するように構成され、該応答情報が、該端末装置が該省電力モードに入るか否かを示すことに用いられ、該処理ユニット６２０は具体的に該応答情報に従って、該省電力モードに入るか否かを確定するように構成される。
【０２０６】
選択可能に、該応答情報は、該端末装置が該省電力モードに入らないことを示すことに用いられ、該応答情報は、該アクセスネットワーク装置の拒絶理由を含む。
【０２０７】
選択可能に、該応答情報は、該端末装置が第二のタイマーに従って該省電力モードに入ることを示すことに用いられ、該処理ユニット６２０は、具体的に該受信ユニット６１０が該応答情報を受信する時に、該第二のタイマーをオンにし、該第二のタイマーがタイムアウトした場合、該省電力モードに入るように構成される。
【０２０８】
選択可能に、該応答情報は該第二のタイマーの時間長を含む。
【０２０９】
選択可能に、該予め設定された条件は、以下の条件のうちの少なくとも一つを含む：該端末装置が該省電力モードをサポートすることを確定すること、該端末装置が省電力を目的とする端末装置であること、該端末装置におけるサービスが、該端末装置が該省電力モードに入ることを許可すること、該端末装置のサービスモードであって、該端末装置のサービスモードは、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含むこと、及び、該端末装置の動き情報であって、該端末装置の動き情報は該端末装置の動き状態及び／又は移動レートを示すことに用いられること。
【０２１０】
選択可能に、該処理ユニット６２０は具体的に該省電力モードに入る時に、第三のタイマーをオンにし、該第三のタイマーがタイムアウトした場合、該省電力モードから通信モードに入るように構成され、該通信モードにある端末装置の該無線周波数チャネルがオンになる。
【０２１１】
選択可能に、該処理ユニット６２０は具体的に該アクセスネットワーク装置とネゴシエートして該第三のタイマーの時間長を確定し、又はコアネットワーク装置とネゴシエートして該第三のタイマーの時間長を確定するように構成される。
【０２１２】
選択可能に、該処理ユニット６２０は具体的にページングエリアの更新周期に従って、該省電力モードから通信モードに入ることを確定するように構成され、該通信モードにある該端末装置の該無線周波数チャネルがオンになる。
【０２１３】
理解すべきものとして、本出願の実施形態による端末装置６００は本出願の方法の実施形態における方法１００を実行するための端末装置に対応してもよく、且つ端末装置６００の各ユニットの上記と他の操作及び／又は機能はそれぞれ図１〜図５の各方法における端末装置の対応するプロセスを実現するためのものであり、簡潔するために、ここでは詳細な説明を省略する。
【０２１４】
したがって、本出願の実施形態における端末装置では、アクセスネットワーク装置から送信された構成情報を受信し、該構成情報に基づいて非アクティブ状態に入り、さらに非アクティブ状態にある場合で端末装置が省電力モードに入ることができるか否かを確定することができ、例えば、アクセスネットワーク装置の構成によって確定し、又はタイマーに基づいて確定し、又は端末装置は予め設定された条件に基づき、省電力モードに入ることを要求し、これにより、非アクティブ状態にある端末装置が省電力モードに入ることが実現されてもよく、さらに端末装置の消費電力が低減される。
【０２１５】
図７に示すように、本出願の実施形態によるアクセスネットワーク装置７００は確定ユニット７１０と送信ユニット７２０を備え、選択可能に、さらに受信ユニット７３０を備えることができる。具体的には、該確定ユニット７１０は、端末装置が非アクティブ状態の下で省電力モードに入るか否かを確定するように構成され、該省電力モードにある該端末装置の無線周波数モジュールがオフになり、該送信ユニット７２０は、該端末装置へ構成情報を送信するように構成され、該構成情報が該端末装置が該非アクティブ状態に入ること、及び非アクティブ状態の下で前記省電力モードに入るか否かを示すことに用いられる。
【０２１６】
選択可能に、該受信ユニット４３０は、該確定ユニット７１０が、端末装置が非アクティブ状態の下で省電力モードに入るか否かを確定する前に、該端末装置又はコアネットワーク装置から送信された能力情報を受信するように構成され、該能力情報が、該端末装置が該省電力モードをサポートするか否かを示すことに用いられ、該確定ユニット７１０は、具体的に該能力情報が、該端末装置が該省電力モードをサポートすることを示す場合、該端末装置が非アクティブ状態の下で省電力モードに入ることを確定し、又は、該能力情報が、該端末装置が該省電力モードをサポートしないことを示す場合、該端末装置が非アクティブ状態の下で省電力モードに入らないことを確定するように構成される。
【０２１７】
選択可能に、該受信ユニット７３０は、該確定ユニット７１０が、端末装置が非アクティブ状態の下で省電力モードに入るか否かを確定する前に、コアネットワーク装置から送信された補助情報を受信するように構成され、該補助情報が、該端末装置が現在該省電力モードに入ることを許可するか否か、該端末装置によって処理されているサービスが該省電力モードに入ることを許可するか否か、該省電力モードに入るサービスのＱｏＳ要求、端末装置のタイプ、該端末装置のサービスモード及び動き情報のうちの少なくとも１つを含み、該サービスモードが、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含み、該動き情報が該端末装置の動き状態及び／又は移動レートを示すことに用いられ、該確定ユニット７１０は具体的に該補助情報に基づき、端末装置が非アクティブ状態の下で省電力モードに入るか否かを確定するように構成される。
【０２１８】
選択可能に、該構成情報は、第一のタイマーの時間長を含み、該第一のタイマーは該端末装置が該非アクティブ状態に入る時に起動するために用いられ、該第一のタイマーがタイムアウトした時に該端末装置は該省電力モードに入る。
【０２１９】
選択可能に、該送信ユニット７１２はさらに該コアネットワーク装置へ第一のタイマーの時間長を送信するように構成され、該第一のタイマーの時間長が、該コアネットワーク装置が該端末装置へ該サービスデータを送信する時間を確定するために用いられる。
【０２２０】
選択可能に、該受信ユニット７３０は、該コアネットワーク装置から送信されたサービスデータを受信するように構成され、該確定ユニット７１０はさらに該第一のタイマーに従って、該端末装置が該省電力モードに入る第一の開始時点を確定するように構成され、該送信ユニット７２０はさらに該第一の開始時点の前に、該端末装置へ該サービスデータを送信するように構成される。
【０２２１】
選択可能に、該確定ユニット７１０は、具体的に該端末装置とネゴシエートして第三のタイマーの時間長を確定するように構成され、該第三のタイマーが、該端末装置が該省電力モードに入る時に起動するために用いられ、該第三のタイマーがタイムアウトした場合、該端末装置が該省電力モードから通信モードに入り、該通信モードにある該端末装置の該無線周波数チャネルがオンになる。
【０２２２】
選択可能に、該構成情報は該第三のタイマーの時間長を含む。
【０２２３】
選択可能に、該送信ユニット７２０はさらに該コアネットワーク装置へ第三のタイマーの時間長を送信するように構成され、該第三のタイマーの時間長が、該コアネットワーク装置が該端末装置へ該サービスデータを送信する時間を確定するために用いられる。
【０２２４】
選択可能に、該受信ユニット７３０は、該コアネットワーク装置から送信されたサービスデータを受信するように構成され、該確定ユニット７１０はさらに該第三のタイマーに従って、該端末装置が該通信モードに入る第三の開始時点を確定するように構成され、該送信ユニット７２０はさらに該第三の開始時点の後に、該端末装置へ該サービスデータを送信するように構成される。
【０２２５】
理解すべきこととして、本出願の実施形態によるアクセスネットワーク装置７００は本出願の方法の実施形態における方法２００を実行するためのアクセスネットワーク装置に対応してもよく、且つアクセスネットワーク装置７００の各ユニットの上記と他の操作及び／又は機能はそれぞれ図１〜図５の各方法におけるアクセスネットワーク装置の対応するプロセスを実現するためのものであり、簡潔するために、ここでは詳細な説明を省略する。
【０２２６】
したがって、本出願の実施形態におけるアクセスネットワーク装置では、該端末装置が非アクティブ状態にある時に省電力モードに入ることができるか否かを確定し、端末装置が非アクティブ状態にある場合で省電力モードに入ることができるか否かを構成情報によって示し、これにより、非アクティブ状態にある端末装置が省電力モードに入ることが実現されてもよく、さらに端末装置の消費電力が低減される。
【０２２７】
図８に示すように、本出願の実施形態によるアクセスネットワーク装置８００は送信ユニット８１０と受信ユニット８２０を備え、選択可能に、さらに確定ユニット８３０を備えることができる。具体的には、該送信ユニット８１０は、端末装置へ構成情報を送信するように構成され、該構成情報は、該端末装置が非アクティブ状態に入ることを示すことに用いられ、該受信ユニット８２０は、該端末装置が該非アクティブ状態に入った後に送信した要求情報を受信するように構成され、該要求情報が、該端末装置が該非アクティブ状態の下で省電力モードに入ることを要求するために用いられ、該省電力モードにある該端末装置の無線周波数モジュールがオフになり、該送信ユニット８１０はさらに該要求情報及び補助情報に基づき、該端末装置へ応答情報を送信するように構成され、該応答情報が、該端末装置が該非アクティブ状態の下で省電力モードに入るか否かを示すことに用いられる。
【０２２８】
選択可能に、該応答情報は、該端末装置が該省電力モードに入らないことを示すことに用いられ、該応答情報は、該アクセスネットワーク装置の拒絶理由を含む。
【０２２９】
選択可能に、該応答情報は、該端末装置が第二のタイマーに従って該省電力モードに入ることを示すことに用いられ、該第二のタイマーが、該端末装置が該応答情報を受信する時に起動するために用いられ、該第二のタイマーがタイムアウトした場合に該端末装置は該省電力モードに入る。
【０２３０】
選択可能に、該応答情報は該第二のタイマーの時間長を含む。
【０２３１】
選択可能に、該送信ユニット８１０はさらに該コアネットワーク装置へ第二のタイマーの時間長を送信するように構成され、該第二のタイマーの時間長が、該コアネットワーク装置が該端末装置へ該サービスデータを送信する時間を確定するために用いられる。
【０２３２】
選択可能に、該受信ユニット８２０は、さらに該コアネットワーク装置から送信されたサービスデータを受信するように構成され、該確定ユニット８３０は該第二のタイマーに従って、該端末装置が該省電力モードに入る第二の開始時点を確定するように構成され、該送信ユニット８１０はさらに該第二の開始時点の前に、該端末装置へ該サービスデータを送信するように構成される。
【０２３３】
選択可能に、該受信ユニット８２０は具体的にコアネットワーク装置から送信された該補助情報を受信するように構成される。
【０２３４】
選択可能に、該補助情報は、該端末装置が現在該省電力モードに入ることを許可するか否か、該端末装置によって処理されているサービスが該省電力モードに入ることを許可するか否か、該省電力モードに入るサービスのＱｏＳ要求、該端末装置のタイプ、該端末装置のサービスモード及び動き情報のうちの少なくとも１つを含み、該サービスモードが、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含み、該動き情報が該端末装置の動き状態及び／又は移動レートを示すことに用いられる。
【０２３５】
選択可能に、該確定ユニット８３０は、該端末装置とネゴシエートして第三のタイマーの時間長を確定するように構成され、該第三のタイマーが、該端末装置が該省電力モードに入る時に起動するために用いられ、該第三のタイマーがタイムアウトした場合、該端末装置が該省電力モードから通信モードに入り、該通信モードにある該端末装置の該無線周波数チャネルがオンになる。
【０２３６】
選択可能に、該構成情報は該第三のタイマーの時間長を含む。
【０２３７】
選択可能に、該送信ユニット８１０はさらに該コアネットワーク装置へ第三のタイマーの時間長を送信するように構成され、該第三のタイマーの時間長が、該コアネットワーク装置が該端末装置へ該サービスデータを送信する時間を確定するために用いられる。
【０２３８】
選択可能に、該受信ユニット８２０は、さらに該コアネットワーク装置から送信されたサービスデータを受信するように構成され、該確定ユニット８３０は該第三のタイマーに従って、該端末装置が該通信モードに入る第三の開始時点を確定するように構成され、該送信ユニット８１０はさらに該第三の開始時点の後に、該端末装置へ該サービスデータを送信するように構成される。
【０２３９】
理解すべきこととして、本出願の実施形態によるアクセスネットワーク装置８００は本出願の実施形態における方法３００を実行するためのアクセスネットワーク装置に対応してもよく、且つアクセスネットワーク装置８００の各ユニットの上記と他の操作及び／又は機能はそれぞれ図１〜図５の各方法におけるアクセスネットワーク装置の対応するプロセスを実現するためのものであり、簡潔するために、ここでは詳細な説明を省略する。
【０２４０】
したがって、本出願の実施形態におけるアクセスネットワーク装置は、非アクティブ状態に入るように端末装置を構成し、該端末装置が非アクティブ状態に入り且つ省電力モードに入ることができるか否かを確定し、要求情報によって省電力モードに入ることを要求し、アクセスネットワーク装置は、端末装置の関連補助情報に基づき、該端末装置が非アクティブ状態にある場合で省電力モードに入ることができるか否かを確定し、そして応答情報によって端末装置に指示し、これにより、非アクティブ状態にある端末装置が省電力モードに入ることが実現されてもよく、さらに端末装置の消費電力が低減される。
【０２４１】
図９に示すように、本出願の実施形態によるコアネットワーク装置９００は確定ユニット９１０と送信ユニット９２０を備え、選択可能に、さらに受信ユニット９３０を備えることができる。具体的には、該確定ユニット９１０は、コントロールプレーンエンティティを介して端末装置のタイマー情報を確定するように構成され、該タイマー情報が第二のタイマーの時間長及び／又は第三のタイマーの時間長を含み、該第二のタイマーの時間長が、該端末装置が該第二のタイマーがタイムアウトした時に通信モードから省電力モードに入るために用いられ、該第三のタイマーの時間長が、該端末装置が該第三のタイマーがタイムアウトした時に該省電力モードから該通信モードに入るために用いられ、該省電力モードにある該端末装置の無線周波数モジュールがオフになり、該通信モードにある該端末装置の該無線周波数チャネルがオンになり、該送信ユニット９２０は、該タイマー情報に基づき、ユーザプレーンエンティティを介して該端末装置へサービスデータを送信するように構成される。
【０２４２】
選択可能に、該確定ユニット９１０は、該コントロールプレーンエンティティを介して該端末装置とネゴシエートして該タイマー情報を確定するように構成される。
【０２４３】
選択可能に、該受信ユニット９３０は、アクセスネットワーク装置から送信されたタイマー情報を、該コントロールプレーンエンティティを介して受信するように構成され、該タイマー情報が該アクセスネットワーク装置と該端末装置によってネゴシエートして確定される。
【０２４４】
選択可能に、該送信ユニット９２０はさらに、アクセスネットワーク装置へ補助情報を送信するように構成され、該補助情報が、該アクセスネットワーク装置が該端末装置が該非アクティブ状態の下で省電力モードに入るか否かを確定するために用いられる。
【０２４５】
選択可能に、該補助情報は、該端末装置が現在該省電力モードに入ることを許可するか否か、該端末装置によって処理されているサービスが該省電力モードに入ることを許可するか否か、該省電力モードに入るサービスのサービス品質（ＱｏＳ）要求、及び該端末装置のタイプ、該端末装置のサービスモード及び動き情報のうちの少なくとも１つを含み、該サービスモードが、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含み、該動き情報が該端末装置の動き状態及び／又は移動レートを示すことに用いられる。
【０２４６】
理解すべきものとして、本出願の実施形態によるコアネットワーク装置９００は本出願の実施形態における方法４００を実行するためのコアネットワーク装置に対応してもよく、且つアクセスネットワーク装置９００の各ユニットの上記と他の操作及び／又は機能はそれぞれ図１１〜図５の各方法におけるコアネットワーク装置の対応するプロセスを実現するためのものであり、簡潔するために、ここでは詳細な説明を省略する。
【０２４７】
したがって、本出願の実施形態におけるコアネットワーク装置では、端末装置が非アクティブ状態にある時に、さらに省電力モードにあることができるため、コアネットワーク装置は、省電力モード又は通信モードに入ることに関する該端末装置のタイマー情報を確定し、さらに該端末装置が省電力モードにある時間を確定し、該時間に従って、端末装置が通信モードにある時に端末装置へサービスデータを送信し、端末装置が省電力モードにある時に、該サービスデータを一時的にキャッシュすることを、実現し、これにより、サービスデータ伝送に影響を与えることなく、端末装置の消費電力が低減される。
【０２４８】
図１０に示すように、本出願の実施形態によるコアネットワーク装置１０００は、確定ユニット１０１０と送信ユニット１０２０を備え、具体的には、該確定ユニット１０１０が、コントロールプレーンエンティティを介して端末装置とネゴシエートしてタイマー情報を確定するように構成され、該タイマー情報が第二のタイマーの時間長及び／又は第三のタイマーの時間長を含み、該第二のタイマーの時間長が、該端末装置が該第二のタイマーがタイムアウトした時に通信モードから省電力モードに入るために用いられ、該第三のタイマーの時間長が、該端末装置が該第三のタイマーがタイムアウトした時に該省電力モードから該通信モードに入るために用いられ、該省電力モードにある該端末装置の無線周波数モジュールがオフになり、該通信モードにある該端末装置の該無線周波数チャネルがオンになり、該送信ユニット１０２０が、コントロールプレーンエンティティを介してアクセスネットワーク装置へ該タイマー情報を送信するように構成され、該タイマー情報が、アクセスネットワーク装置が該端末装置が該通信モードにある時間を確定するために用いられ、該送信ユニット１０２０がさらに、ユーザプレーンエンティティを介して該アクセスネットワーク装置へサービスデータを送信するように構成され、該サービスデータが、該アクセスネットワーク装置が該時間内で該端末装置へ該サービスデータを送信するために用いられる。
【０２４９】
選択可能に、該送信ユニット１０２０はさらに、アクセスネットワーク装置へ補助情報を送信するように構成され、該補助情報は、該アクセスネットワーク装置が、該端末装置が該非アクティブ状態の下で省電力モードに入るか否かを確定するために用いられる。
【０２５０】
選択可能に、該補助情報は、該端末装置が現在該省電力モードに入ることを許可するか否か、該端末装置によって処理されているサービスが該省電力モードに入ることを許可するか否か、該省電力モードに入るサービスのサービス品質（ＱｏＳ）要求、及び該端末装置のタイプ、該端末装置のサービスモード及び動き情報のうちの少なくとも１つを含み、該サービスモードが、該端末装置への該サービスの到達の時間間隔、該端末装置への該サービスの到達の頻度、該端末装置における該サービスの継続時間、該サービスにおけるデータパケットのデータ量及び該データパケットの数のうちの少なくとも１つを含み、該動き情報が該端末装置の動き状態及び／又は移動レートを示すことに用いられる。
【０２５１】
理解すべきものとして、本出願の実施形態によるコアネットワーク装置１０００は本出願の実施形態における方法５００を実行するためのコアネットワーク装置に対応してもよく、且つアクセスネットワーク装置１０００の各ユニットの上記と他の操作及び／又は機能はそれぞれ図１〜図５の各方法におけるコアネットワーク装置の対応するプロセスを実現するためのものであり、簡潔するために、ここでは詳細な説明を省略する。
【０２５２】
したがって、本出願の実施形態におけるコアネットワーク装置では、端末装置が非アクティブ状態にある時に、さらに省電力モードにあることができるため、コアネットワーク装置は、省電力モード又は通信モードに入ることに関する該端末装置のタイマー情報を確定し、アクセスネットワーク装置へ該タイマー情報を送信し、これにより、アクセスネットワーク装置は、該タイマー情報に基づいて該端末装置が省電力モードにある時間を確定し、該時間に従って、端末装置が通信モードにある時に端末装置へサービスデータを送信し、端末装置が省電力モードにある時に、該サービスデータを一時的にキャッシュすることを、実現することができ、これにより、サービスデータ伝送に影響を与えることなく、端末装置の消費電力が低減される。
【０２５３】
以上に図１４〜図１６と組み合わせて本出願の実施形態による端末装置の状態を確定するための方法を詳細に説明したが、以下に図１７と組み合わせて本出願の実施形態による通信装置を説明する。
【０２５４】
図１７は本出願の実施形態による通信装置１７００の概略ブロック図である。図１７に示すように、該通信装置１７００は処理ユニット１７１０と送受信ユニット１７２０を備えることができる。
【０２５５】
選択可能に、該通信装置１７００は、本出願の実施形態による端末装置であってもよく、例えば、該通信装置１７００は、本出願の実施形態における方法１４００を実行するための端末装置に対応することができ、即ち該送受信ユニット１７２０がアクセスネットワーク装置から送信された構成情報を受信するように構成され、該構成情報は、端末装置が非アクティブ状態に入ることを示すことに用いられ、該処理ユニット１７１０が非アクティブ状態の下で省電力モードに入るか否かを確定するように構成され、該省電力モードにある該端末装置が拡張周期の不連続受信（ＤＲＸ）を採用する。理解すべきこととして、該通信装置１７００における各ユニットの上記と他の操作及び／又は機能はそれぞれ図１４〜図１６の各方法における端末装置の対応するプロセスを実現するためのものであり、簡潔するために、ここでは詳細な説明を省略する。
【０２５６】
選択可能に、該通信装置１７００は、さらに本出願の実施形態によるアクセスネットワーク装置であってもよく、例えば、該通信装置１７００は本出願の実施形態における方法１５００を実行するためのアクセスネットワーク装置に対応することができ、即ち該送受信ユニット１７２０が端末装置へ構成情報を送信するように構成され、前記構成情報は、前記端末装置が非アクティブ状態に入ることを示すことに用いられ、該処理ユニット１７１０が、前記端末装置が非アクティブ状態の下で省電力モードに入るか否かを確定するように構成され、前記省電力モードにある前記端末装置が拡張周期の不連続受信（ＤＲＸ）を採用する。理解すべきこととして、該通信装置１７００における各ユニットの上記と他の操作及び／又は機能はそれぞれ図１４〜図１６の各方法におけるアクセスネットワーク装置の対応するプロセスを実現するためのものであり、簡潔するために、ここでは詳細な説明を省略する。
【０２５７】
選択可能に、該通信装置１７００は、さらに本出願の実施形態によるコアネットワーク装置であってもよく、例えば、該通信装置１７００は本出願の実施形態における方法１６００を実行するためのコアネットワーク装置に対応することができ、即ち該処理ユニット１７１０が端末装置端末装置とネゴシエートして、前記端末装置が拡張周期の不連続受信（ＤＲＸ）を採用する時の拡張周期を確定するように構成され、前記拡張周期が、前記端末装置が非アクティブ状態の下で省電力モードに入るか否かを確定するために用いられ、前記省電力モードにある前記端末装置が前記拡張周期のＤＲＸを採用する。理解すべきこととして、該通信装置１７００における各ユニットの上記と他の操作及び／又は機能はそれぞれ図１４〜図１６の各方法におけるコアネットワーク装置の対応するプロセスを実現するためのものであり、簡潔するために、ここでは詳細な説明を省略する。
【０２５８】
図１１は本出願の実施形態による通信装置１１００の概略ブロック図である。図１１に示す通信装置１１００は、プロセッサ１１１０を備え、プロセッサ１１１０がメモリからコンピュータプログラムを呼び出して実行して、本出願の実施形態における方法１００を実現することができる。
【０２５９】
選択可能に、図１１に示されるように、通信装置１１００はさらにメモリ１１２０を備えることができる。ここで、プロセッサ１１１０は、メモリ１１２０からコンピュータプログラムを呼び出して実行して、本出願の実施形態における方法を実現することができる。
【０２６０】
ここで、メモリ１１２０は、プロセッサ１１１０から独立した別個のデバイスであってもよいし、プロセッサ１１１０に統合されてもよい。
【０２６１】
選択可能に、図１１に示されるように、通信装置１１００はさらに送受信機１１３０を備えることができ、プロセッサ１１１０が他の装置と通信するように該送受信機１１３０を制御することができ、具体的に、他の装置へ情報又はデータを送信し、又は他の装置から送信された情報又はデータを受信することができるように該送受信機１１３０を制御することができる。
【０２６２】
ここで、送受信機１１３０は、送信機と受信機を含むことができる。受信機１１３０はさらにアンテナを含むことができ、アンテナの数が一つ又は複数であってもよい。
【０２６３】
選択可能に、該通信装置１１００は本出願の実施形態の端末装置であってもよく、そして該通信装置１１００は本出願の実施形態の各方法における端末装置によって実現される対応プロセスを実現することができ、簡潔にするために、ここでは詳細な説明を省略する。
【０２６４】
選択可能に、該通信装置１１００は本出願の実施形態のアクセスネットワーク装置であってもよく、そして該通信装置１１００は本出願の実施形態の各方法におけるアクセスネットワーク装置によって実現される対応プロセスを実現することができ、簡潔にするために、ここでは詳細な説明を省略する。
【０２６５】
選択可能に、該通信装置１１００は本出願の実施形態のコアネットワーク装置であってもよく、そして該通信装置１１００は本出願の実施形態の各方法におけるコアネットワーク装置によって実現される対応プロセスを実現することができ、簡潔にするために、ここでは詳細な説明を省略する。
【０２６６】
図１２は本出願の実施形態によるチップ１２００の概略ブロック図である。図１２に示されるチップ１２００は、プロセッサ１２１０を備え、プロセッサ１２１０がメモリからコンピュータプログラムを呼び出して実行して、本出願の実施形態における方法を実現することができる。
【０２６７】
選択可能に、図１２に示されるように、チップ１２００はさらにメモリ１２２０を備えることができる。ここで、プロセッサ１２１０は、メモリ１２２０からコンピュータプログラムを呼び出して実行して、本出願の実施形態における方法を実現することができる。
【０２６８】
ここで、メモリ１２２０は、プロセッサ１２１０から独立した別個のデバイスであってもよいし、プロセッサ１２１０に統合されてもよい。
【０２６９】
選択可能に、該チップ１２００はさらに入力インタフェース１２３０を備えることができる。ここで、プロセッサ１２１０は他の装置又はチップと通信するように該入力インタフェース１２３０を制御することができ、具体的には、他の装置又はチップから送信された情報又はデータを取得するように該入力インタフェース１２３０を制御することができる。
【０２７０】
選択可能に、該チップ１２００はさらに出力インタフェース１２４０を備えることができる。ここで、プロセッサ１２１０は他の装置又はチップと通信するように該入力インタフェース１２４０を制御することができ、具体的には、他の装置又はチップへ情報又はデータを出力するように該出力インタフェース１２４０を制御することができる。
【０２７１】
選択可能に、該チップは本出願の実施形態における端末装置に応用されてもよく、そして該チップは本出願の実施形態の各方法における端末装置によって実現される対応プロセスを実現することができ、簡潔にするために、ここでは詳細な説明を省略する。
【０２７２】
選択可能に、該チップは本出願の実施形態におけるアクセスネットワーク装置に応用されてもよく、そして該チップは本出願の実施形態の各方法におけるアクセスネットワーク装置によって実現される対応プロセスを実現することができ、簡潔にするために、ここでは詳細な説明を省略する。
【０２７３】
選択可能に、該チップは本出願の実施形態におけるコアネットワーク装置に応用されてもよく、そして該チップは本出願の実施形態の各方法におけるコアネットワーク装置によって実現される対応プロセスを実現することができ、簡潔にするために、ここでは詳細な説明を省略する。
【０２７４】
理解すべきものとして、本出願の実施形態に言及されるチップは、さらにシステムレベルチップ、システムチップ、チップシステム又はシステムオンチップなどとも呼ばれてもよい。
【０２７５】
上記プロセッサは汎用プロセッサ、デジタル信号プロセッサ（ＤＳＰ：ｄｉｇｉｔａｌ  ｓｉｇｎａｌ  ｐｒｏｃｅｓｓｏｒ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）又は他のプログラマブル論理デバイス、トランジスタ論理デバイス、ディスクリートハードウェア部材などであってもよい。ここで、上記汎用プロセッサはマイクロプロセッサであってもよく、又はいずれかの従来のプロセッサなどであってもよい。
【０２７６】
上記メモリは揮発性記憶装置又は不揮発性記憶装置であってもよく、又は揮発性記憶装置及び不揮発性記憶装置の両方を含むことができる。ここで、不揮発性記憶装置は読み取り専用メモリ（ＲＯＭ：ｒｅａｄ−ｏｎｌｙ  ｍｅｍｏｒｙ）、プログラマブル読み取り専用メモリ（ＰＲＯＭ：ｐｒｏｇｒａｍｍａｂｌｅ  ＲＯＭ）、消去可能プログラマブル読み取り専用メモリ（ＥＰＲＯＭ：ｅｒａｓａｂｌｅ  ＰＲＯＭ）、電気的消去可能プログラマブル読み取り専用メモリ（ＥＥＰＲＯＭ：ｅｌｅｃｔｒｉｃａｌｌｙ  ＥＰＲＯＭ）又はフラッシュメモリであってもよい。揮発性記憶装置はランダムアクセスメモリ（ＲＡＭ：ｒａｎｄｏｍ  ａｃｃｅｓｓ  ｍｅｍｏｒｙ）であってもよい。
【０２７７】
理解すべきものとして、上記メモリは、例示的であるが限定的に説明されたものではなく、例えば、本出願の実施形態におけるメモリはさらにスタティックランダムアクセスメモリ（ＳＲＡＭ：ｓｔａｔｉｃ  ＲＡＭ）、動的ランダムアクセスメモリ（ＤＲＡＭ：ｄｙｎａｍｉｃ  ＲＡＭ）、同期動的ランダムアクセスメモリ（ＳＤＲＡＭ：ｓｙｎｃｈｒｏｎｏｕｓ  ＤＲＡＭ）、ダブルデータレート同期動的ランダムアクセスメモリ（ＤＤＲ  ＳＤＲＡＭ：ｄｏｕｂｌｅ  ｄａｔａ  ｒａｔｅ  ＳＤＲＡＭ）、強化型同期動的ランダムアクセスメモリ（ＥＳＤＲＡＭ：ｅｎｈａｎｃｅｄ  ＳＤＲＡＭ）、同期リンク動的ランダムアクセスメモリ（ＳＬＤＲＡＭ：ｓｙｎｃｈ  ｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）などであってもよい。つまり、本出願の実施形態におけるメモリはこれらと任意の他の適切なタイプのメモリを含むことを図るがこれらに限定されない。
【０２７８】
図１３は本出願の実施形態による通信システム１３００の概略ブロック図である。図１３に示すように、該通信システム１３００は端末装置１１３１０、アクセスネットワーク装置１３２０とコアネットワーク装置１３３０を備える。
【０２７９】
ここで、該端末装置１３１０は上記方法１００〜方法５００又は方法１４００−方法１６００における端末装置によって実現される、対応する機能を実現することに用いられてもよく、該端末装置１３１０は、図６における端末装置６００のように構成されてもよく、又は図１７における通信装置１７００のように構成されてもよく、簡潔にするために、ここで詳細な説明を省略する。
【０２８０】
該アクセスネットワーク装置１３２０は、上記方法１００〜方法５００又は方法１４００−方法１６００におけるアクセスネットワーク装置によって実現される、対応する機能を実現することに用いられてもよく、該アクセスネットワーク装置１３２０は、図７及び図８におけるアクセスネットワーク装置７００及びアクセスネットワーク装置８００のように構成されてもよく、又は図１７における通信装置１７００のように構成されてもよく、簡潔にするために、ここで詳細な説明を省略する。
【０２８１】
該コアネットワーク装置１３３０は、上記方法１００〜方法５００又は方法１４００−方法１６００におけるコアネットワーク装置によって実現される、対応する機能を実現することに用いられてもよく、該アクセスネットワーク装置１３３０は、図９及び図１０におけるアクセスネットワーク装置９００とアクセスネットワーク装置１０００のように構成されてもよく、又は図１７における通信装置１７００のように構成されてもよく、簡潔にするために、ここで詳細な説明を省略する。
【図１】
2021510268.tif 000003
【図２】
2021510268.tif 000004
【図３】
2021510268.tif 000005
【図４】
2021510268.tif 000006
【図５】
2021510268.tif 000007
【図６】
2021510268.tif 000008
【図７】
2021510268.tif 000009
【図８】
2021510268.tif 000010
【図９】
2021510268.tif 000011
【図１０】
2021510268.tif 000012
【図１１】
2021510268.tif 000013
【図１２】
2021510268.tif 000014
【図１３】
2021510268.tif 000015
【図１４】
2021510268.tif 000016
【図１５】
2021510268.tif 000017
【図１６】
2021510268.tif 000018
【図１７】
2021510268.tif 000019
【国際調査報告】
2021510268.tif 000020
2021510268.tif 000021
2021510268.tif 000022
2021510268.tif 000023
2021510268.tif 000024
2021510268.tif 000025